(57)【特許請求の範囲】
【請求項１】
販売促進陳列システムであって、
前レールと、
前記前レールに係合するべく構成された少なくとも一つの仕切り器であって、障壁を含み、仕切り器壁をさらに含み、前記仕切り器壁に垂直な仕切り器床面をさらに含み、前記仕切り器床面は製品を保持するべく構成された少なくとも一つの仕切り器と、
前記仕切り器に結合されたカムであって、第１位置と第２位置との間で動くべく構成されたカムと
を含み、
前記少なくとも一つの仕切り器は、前記少なくとも一つの仕切り器が前記前レールに係合されかつ前記カムが前記第１位置にある場合、（ａ）前レールに平行な横方向に可動であり、かつ、（ｂ）前記前レールに垂直な方向に留められ、
前記少なくとも一つの仕切り器は、前記少なくとも一つの仕切り器が前記前レールに係合されかつ前記カムが前記第２位置にある場合、（ａ）前記前レールに平行な横方向に固定され、かつ、（ｂ）前記前レールに垂直な方向に留められる販売促進陳列システム。
【請求項２】
前記カムは、前記第１位置と前記第２位置との間で前記カムを回転させるハンドルを含む、請求項１に記載の販売促進陳列システム。
【請求項３】
前記カムは、前記カムが前記第２位置にある場合に前記前レールの一以上の溝壁に係合するべく構成された一以上のカム壁を含む、請求項１に記載の販売促進陳列システム。
【請求項４】
前記カムは、前記カムが前記第２位置にある場合に前記前レールの表面の複数の前レール歯に係合するべく構成された複数のカム歯を含む、請求項１に記載の販売促進陳列システム。
【請求項５】
前記前レール歯は、前記前レールの内側表面に存在する、請求項４に記載の販売促進陳列システム。
【請求項６】
押出器表面と、前記押出器表面から前方に延びる押出器床面と、巻き端及び自由端を有する巻きばねとを有する押出器機構をさらに含み、
前記巻き端は前記押出器表面の後ろに位置決めされ、
前記押出器機構は、前記巻きばねのみによって販売促進陳列システムに取り付けられる、請求項１に記載の販売促進陳列システム。
【請求項７】
前記障壁は、前記巻きばねの自由端を受容するべく構成される、請求項１に記載の販売促進陳列システム。
【請求項８】
前記前レールは前レール溝を画定し、
前記仕切り器は、前記前レール溝に係合するべく構成された仕切り器隆起部を画定する、請求項１に記載の販売促進陳列システム。
【請求項９】
販売促進陳列システムであって、
前レールと、
前記前レールに取り付けられて製品を複数の列に分離するべく構成された複数の仕切り器と
を含み、
前記複数の仕切り器のそれぞれは、
前記前レールに垂直な方向に延びる仕切り器壁と、
前記仕切り器壁に垂直な仕切り器床面であって製品を保持するべく構成された仕切り器床面と、
前記仕切り器に結合されたカムであって第１位置と第２位置との間を動くべく構成されたカムと
を含み、
前記複数の仕切り器のそれぞれは、前記複数の仕切り器のそれぞれが前記前レールに係合されかつ前記複数の仕切り器のそれぞれに対する前記カムが前記第１位置にある場合、（ａ）前記前レールに平行な横方向に可動であり、かつ、（ｂ）前記前レールに垂直な方向に留められ、
前記複数の仕切り器のそれぞれは、前記複数の仕切り器のそれぞれが前記前レールに係合されかつ前記複数の仕切り器のそれぞれに対する前記カムが前記第２位置にある場合、（ａ）前記前レールに平行な横方向に固定され、かつ、（ｂ）前記前レールに垂直な方向に留められる販売促進陳列システム。
【請求項１０】
前記複数の仕切り器のそれぞれは、前記仕切り器床面上に製品が位置決めされている場合、前記前レールに平行な横方向に動くべく構成される、請求項９に記載の販売促進陳列システム。
【請求項１１】
前記複数の仕切り器に対する前記カムが前記第１位置にある場合、前記複数の仕切り器の最も外側にある仕切り器への力が、前記複数の仕切り器のそれぞれに、前記前レールに平行な横方向の動きを引き起こし、
前記力は、前記前レールに平行な方向であって前記最も外側にある仕切り器の前記仕切り器壁に垂直な方向にある、請求項１０に記載の販売促進陳列システム。
【請求項１２】
販売促進陳列システムであって、
前レールと、
前記前レールに取り付けられるべく構成された少なくとも一つの仕切り器であって、障壁と、前記前レールに垂直な方向に延びる仕切り器壁と、前記仕切り器壁に垂直な仕切り器床面とを含む少なくとも一つの仕切り器とを含み、前記仕切り器壁は前記仕切り器床面を、それぞれが製品を保持するべく構成された第１部分及び第２部分に分離する少なくとも一つの仕切り器と、
前記第１部分の少なくとも一部に沿って滑るべく構成された第１押出器機構と、
前記第２部分の少なくとも一部に沿って滑るべく構成された第２押出器機構と、
前記少なくとも一つの仕切り器に結合されたカムであって第１位置と第２位置との間で動くべく構成されたカムと
を含み、
前記カムが前記第１位置にある場合、前記少なくとも一つの仕切り器は、前記前レールに平行かつ前記前レールに沿った横方向に可動であり、
前記カムが前記第２位置にある場合、前記少なくとも一つの仕切り器は、前記前レールに平行かつ前記前レールに沿った横方向の動きに抵抗する販売促進陳列システム。
【請求項１３】
前記第１及び第２押出器機構はそれぞれ、押出器表面と、前記押出器表面から前方に延びる押出器床面と、巻き端及び自由端を有する巻きばねとを含み、
前記巻き端は前記押出器表面の後ろに位置決めされ、
前記第１及び第２押出器機構は、前記巻きばねのみによって前記販売促進陳列システムに取り付けられる、請求項１２に記載の販売促進陳列システム。
【請求項１４】
前記少なくとも一つの仕切り器は仕切り器係合部材を画定し、かつ、前記少なくとも一つの前レールは前レール係合部材を画定し、
前記仕切り器係合部材は、前記前レール係合部材に係合するべく構成される、請求項１２に記載の販売促進陳列システム。
【請求項１５】
前記仕切り器係合部材は、前記仕切り器係合部材の少なくとも一つの表面に仕切り器歯を画定し、
前記前レール係合部材は、前記前レール係合部材の少なくとも一つの表面に前レール歯を画定し、
前記仕切り器歯は前記前レール歯に係合するべく構成される、請求項１４に記載の販売促進陳列システム。
【請求項１６】
販売促進陳列システムであって、
前レールと、
前記前レールに取り付けられるべく構成された少なくとも一つの仕切り器であって、前記前レールに係合するべく構成された障壁と、前記前レールに垂直な方向に延びる仕切り器壁と、前記仕切り器壁に垂直な仕切り器床面であって製品を保持するべく構成された仕切り器床面とを含む少なくとも一つの仕切り器と、
前記仕切り器に結合された弾性タブであって、第１位置と第２位置との間で動くべく構成された弾性タブと
を含み、
前記弾性タブが前記第１位置にある場合、前記少なくとも一つの仕切り器は、前記前レールに平行な横方向に固定され、
前記弾性タブが前記第２位置にある場合、前記少なくとも一つの仕切り器は、前記前レールに平行な横方向に可動である販売促進陳列システム。
【請求項１７】
前記仕切り器は、前記前レールに係合するべく構成された複数の歯を含む、請求項１６に記載の販売促進陳列システム。
【請求項１８】
前記仕切り器の歯は、前記前レールの対応する歯に係合するべく構成される、請求項１７に記載の販売促進陳列システム。
【請求項１９】
前記仕切り器の歯は、前記前レールの弾性表面に係合するべく構成される、請求項１７に記載の販売促進陳列システム。
【請求項２０】
販売促進陳列システムであって、
少なくとも一つの第１凸部及び少なくとも一つの第１凹部を含む前レールと、
前記前レールに取り付けられるべく構成された少なくとも一つの仕切り器であって、仕切り器壁と前記仕切り器壁に垂直な仕切り器床面とを含み、少なくとも一つの第２凹部と少なくとも一つの第２凸部とをさらに含み、前記仕切り器の前記少なくとも一つの第２凸部は第１位置と第２位置との間で動くべく構成される少なくとも一つの仕切り器と
を含み、
前記少なくとも一つの仕切り器は、前記前レールの前記少なくとも一つの第１凸部が前記仕切り器の前記少なくとも一つの第２凹部に係合されかつ前記仕切り器の前記少なくとも一つの第２凸部が前記第１位置にある場合、（ａ）前記前レールに平行な横方向に可動であり、かつ、（ｂ）前記前レールに垂直な方向に留められ、
前記少なくとも一つの仕切り器は、前記前レールの前記少なくとも一つの第１凸部が前記仕切り器の前記少なくとも一つの第２凹部に係合されかつ前記仕切り器の前記少なくとも一つの第２凸部が前記第２位置にある場合、（ａ）前記前レールに平行な横方向の動きに抵抗し、かつ、（ｂ）前記前レールに垂直な方向に留められる販売促進陳列システム。
【請求項２１】
前記仕切り器の前記少なくとも一つの第２凸部はカムを含む。請求項２０に記載の販売促進陳列システム。
【請求項２２】
前記前レールの前記少なくとも一つの第１凹部は溝を含む、請求項２０に記載の販売促進陳列システム。
【請求項２３】
前記仕切り器の前記少なくとも一つの第２凸部は弾性タブを含む、請求項２０に記載の販売促進陳列システム。
【請求項２４】
前記前レールの前記少なくとも一つの第１凸部は舌部を含む、請求項２０に記載の販売促進陳列システム。
【請求項２５】
前記前レールの前記少なくとも一つの第１凸部は複数の歯を含む、請求項２０に記載の販売促進陳列システム。
【請求項２６】
前記仕切り器の前記少なくとも一つの第２凸部は舌部を含む、請求項２０に記載の販売促進陳列システム。
【請求項２７】
前記仕切り器の前記少なくとも一つの第２凸部は複数の歯を含む、請求項２０に記載の販売促進陳列システム。
【請求項２８】
前記前レールの前記少なくとも一つの第１凸部に複数の歯をさらに含み、
前記仕切り器の前記少なくとも一つの第２凹部に複数の歯をさらに含む、請求項２０に記載の販売促進陳列システム。
【請求項２９】
販売促進陳列システムであって、
少なくとも一つの第１凸部及び少なくとも一つの第２凸部を含む前レールであって、前記前レールの前記少なくとも一つの第２凸部は第１位置と第２位置との間で動くべく構成される前レールと、
前記前レールに取り付けられるべく構成された少なくとも一つの仕切り器であって、仕切り器壁と前記仕切り器壁に垂直な仕切り器床面とを含み、少なくとも一つの凹部をさらに含む少なくとも一つの仕切り器と
を含み、
前記少なくとも一つの仕切り器は、前記前レールの前記少なくとも一つの第１凸部が前記仕切り器の前記少なくとも一つの凹部に係合されかつ前記前レールの前記少なくとも一つの第２凸部が前記第１位置にある場合、（ａ）前記前レールに平行な横方向に可動であり、かつ、（ｂ）前記前レールに垂直な方向に留められ、
前記少なくとも一つの仕切り器は、前記前レールの前記少なくとも一つの第１凸部が前記仕切り器の前記少なくとも一つの凹部に係合されかつ前記前レールの前記少なくとも一つの第２凸部が前記第２位置にある場合、（ａ）前記前レールに平行な横方向に固定され、かつ、（ｂ）前記前レールに垂直な方向に留められる販売促進陳列システム。
【請求項３０】
前記前レールの前記少なくとも一つの第１凸部は舌部を含み、前記仕切り器の前記少なくとも一つの凹部は溝を含む、請求項２９に記載の販売促進陳列システム。
【請求項３１】
販売促進陳列システムであって、
第１凸部及び第２凸部を含む前レールと、
前記前レールに取り付けられるべく構成された少なくとも一つの仕切り器であって、仕切り器壁と前記仕切り器壁に垂直な仕切り器床面とを含み、凹部及び第３凸部をさらに含む少なくとも一つの仕切り器と
を含み、
前記第２凸部又は前記第３凸部の少なくとも一つは、第１位置と第２位置との間で可動な可動凸部であり、
前記少なくとも一つの仕切り器は、前記前レールの前記第１凸部が前記仕切り器の前記凹部に係合されかつ前記可動凸部が前記第１位置にある場合、（ａ）前記前レールに平行な横方向に可動であり、かつ、（ｂ）前記前レールに垂直な方向に留められ、
前記少なくとも一つの仕切り器は、前記前レールの前記第１凸部が前記仕切り器の前記凹部に係合されかつ前記可動凸部が前記第２位置にある場合、（ａ）前記前レールに平行な横方向に不動であり、かつ、（ｂ）前記前レールに垂直な方向に留められる販売促進陳列システム。
【請求項３２】
前記可動凸部はカムである、請求項３１に記載の販売促進陳列システム。
【請求項３３】
前記可動凸部は弾性タブである、請求項３１に記載の販売促進陳列システム。
【請求項３４】
前記前レールの前記第１凸部は舌部を含み、かつ、前記仕切り器の前記凹部は溝を含む、請求項３１に記載の販売促進陳列システム。
【請求項３５】
販売促進陳列システムであって、
少なくとも第１係合部材を含む前レールと、
前記前レールに取り付けられるべく構成された少なくとも一つの仕切り器であって、仕切り器壁と前記仕切り器壁に垂直な仕切り器床面とを含み、少なくとも第２係合部材をさらに含む少なくとも一つの仕切り器と、
第１位置と第２位置との間で動くべく構成された第３係合部材と
を含み、
前記少なくとも一つの仕切り器は、前記前レールの前記第１係合部材が前記仕切り器の前記第２係合部材に係合されかつ前記第３係合部材が前記第１位置にある場合、（ａ）前記前レールに平行な横方向に可動であり、かつ、（ｂ）前記前レールに垂直な方向に留められ、
前記少なくとも一つの仕切り器は、前記前レールの前記第１係合部材が前記仕切り器の前記第２係合部材に係合されかつ前記第３係合部材が前記第２位置にある場合、（ａ）前記前レールに平行な横方向に固定され、かつ、（ｂ）前記前レールに垂直な方向に留められる販売促進陳列システム。
【請求項３６】
前記第３係合部材は前記前レールの一部分である、請求項３５に記載の販売促進陳列システム。
【請求項３７】
前記第３係合部材は前記仕切り器の一部分である、請求項３５に記載の販売促進陳列システム。
【請求項３８】
前記第３係合部材はカムを含む、請求項３５に記載の販売促進陳列システム。
【請求項３９】
前記第３係合部材は係合表面を含む、請求項３５に記載の販売促進陳列システム。
【請求項４０】
前記前レールの前記第１係合部材は凸部である、請求項３５に記載の販売促進陳列システム。
【請求項４１】
押出器表面と、前記押出器表面から前方に延びる押出器床面と、巻き端及び自由端を有する巻きばねとを有する押出器機構をさらに含み、
前記巻き端は前記押出器表面の後ろに位置決めされ、前記押出器機構は、前記巻きばねのみによって販売促進陳列システムに取り付けられる、請求項３５に記載の販売促進陳列システム。
【請求項４２】
前記巻きばねの前記自由端を受容するべく構成された障壁をさらに含む、請求項４１に記載の販売促進陳列システム。
【請求項４３】
前記少なくとも一つの仕切り器は、前記前レールの前記第１係合部材が前記仕切り器の前記第２係合部材に係合されかつ前記第３係合部材が前記第２位置にある場合、（ａ）前記前レールに平行な横方向に不動であり、かつ、（ｂ）前記前レールに垂直な方向に留められる、請求項４１に記載の販売促進陳列システム。
【請求項４４】
販売促進陳列システムであって、
前レールと、
前記前レールに係合するべく構成された少なくとも一つの仕切り器であって、障壁を含み、仕切り器壁をさらに含み、前記仕切り器壁に垂直な仕切り器床面をさらに含み、前記仕切り器床面は製品を保持するべく構成された少なくとも一つの仕切り器と、
前記仕切り器に結合されたカムであって、第１位置と第２位置との間で動くべく構成されたカムと
を含み、
前記少なくとも一つの仕切り器は、前記少なくとも一つの仕切り器が前記前レールに係合される場合、前記前レールに垂直な方向に留められ、
前記カムは、前記カムが前記第１位置にある場合に前記少なくとも一つの仕切り器が前記前レールに平行な横方向に動くことを禁止し、かつ、前記カムは、前記カムが前記第２位置にある場合に前記仕切り器が前記前レールに平行な横方向に動くことを許容する販売促進陳列システム。
【請求項４５】
前記少なくとも一つの仕切り器が前記前レールに係合されている場合、前記少なくとも一つの仕切り器は、棚の平面内を前記前レールに平行な横方向にのみ可動であり、かつ、前記少なくとも一つの仕切り器は、棚の平面内を前記前レールに平行な方向を除くすべての方向に固定される、請求項４４に記載の販売促進陳列システム。
【請求項４６】
前記カムは、前記カムを前記第１位置と前記第２位置との間で回転されるハンドルを含む、請求項４４に記載の販売促進陳列システム。
【請求項４７】
前記カムは、前記カムを前記第１位置と前記第２位置との間で滑らせるハンドルを含む、請求項４４に記載の販売促進陳列システム。
【発明の詳細な説明】
【技術分野】
【０００１】
例示的な実施形態は一般に、製品の販売促進に使用される棚組付体に関し、詳しくは、棚上で製品を陳列し及び押し出す改善された機構を有する棚組付体に関する。
【０００２】
関連出願の相互参照
本国際出願は、２００９年１２月１６日出願の米国出願第１２／６３９，６５６号に関連し、これは、２００９年１月２２出願の米国出願第１２／３５７，８６０号の一部継続出願である。これは、２００７年６月８日出願の米国出願第１１／７６０，１９６号の一部継続出願である。これは、２００６年４月２５日に出願されかつ米国特許第７，８２３，７３４として特許付与された米国出願第１１／４１１，７６１号の一部継続出願である。これは、２００５年９月１２日出願の米国仮出願第６０／７１６，３６２号及び２００５年１１月８日出願の米国仮出願第６０／７３４，６９２号の利益を主張する。これらはすべて参照としてここに組み入れられる。本出願はまた、２０１１年９月２日出願の米国仮出願第６１／５３０，７３６号、２０１１年１０月３日出願の米国仮出願第６１／５４２，４７３及び２０１１年１０月３１日出願の米国仮出願第６１／５５３，５４５号並びに２０１２年７月５日出願の米国一部継続特許出願第１３／５４２，４１９号の利益も主張する。これらもすべて参照としてここに組み入れられる。
【背景技術】
【０００３】
コンビニエンスストア、ドラッグストア、食料品店、ディスカウントストア等のような小売及び卸売店には、製品を収容し及び製品を消費者に陳列する大量の棚が必要となることが知られている。製品を陳列するとき、消費者にとって製品が目に見えて手に取ることができるように、棚上の製品が棚の前方に置かれることが望ましい。清涼飲料、エナジー飲料、瓶詰飲料及び他の瓶詰又は缶詰飲料のような製品を格納及び陳列するべく使用されるクーラー又は冷蔵庫の場合、これらの製品もまた、棚の前に向かって置かれることで消費者にとって可視かつアクセス可能となるようにすることが望ましい。
【０００４】
このような製品の配置を達成するべく、周知のシステムは、製品が重力により棚の前に向かって動くように傾斜したトレイ又は床面を含む。これらのシステムの多くは、ポリプロピレンのようなプラスチック材料製の床面又は棚を含む。当該床面又は棚では、その低摩擦係数ゆえに製品が、傾斜した床面又は表面に沿って容易に滑ることができる。しかしながら、これらの表面は経時的に、堆積物又は粘着性物質による妨害を受けるようになる。これにより製品は、適切に滑ることが禁止される。時にはいくつかの製品がひっくり返されて、さらなる製品の棚の前への動きが阻止される場合もある。
【０００５】
他のシステムは、棚の前にある製品が取り外されたときに棚の前に向かって製品を押し出す押出器システムの使用を含む。周知の押出器システムは典型的に、軌道に据え付けられ、かつ、押出器パドルと製品を前方に付勢する巻きばねとを含む。時折、システムの使用につれて及び経時的に、軌道がほこり又は粘着性物質による妨害を受けるようになる。これにより、軌道における押出器システムの適切な動作が邪魔される。加えて、周知の押出器パドルは、販売促進対象製品のサイズ、形状及び重量によって後方に傾くか又は屈曲する場合がある。これにより、軌道における押出器機構の拘束が引き起こされる。かかる状況では、押出器機構は、製品を棚の前方に適切に押し出すことができない。
【０００６】
一つの例示的な実施形態は、無軌道押出器システムを与えることによる既存の販売促進システムの改善を対象とする。無軌道押出器システムは、重力送り販売促進システム（すなわち傾斜した棚又はトレイ）及び非重力送り販売促進システムとともに機能する。
【先行技術文献】
【特許文献】
【０００７】
【特許文献１】仏国特許出願公開第２７２４０９８（Ａ１）号明細書
【特許文献２】米国特許第５，６５７，７０２号明細書
【特許文献３】米国特許第２００６／２６０５１８（Ａ１）号明細書
【特許文献４】独国実用新案第８７１７３８６（Ｕ１）号明細書
【特許文献５】米国特許第２００６／１８６０６４（Ａ１）号明細書
【発明の概要】
【０００８】
一つの例示的な実施形態は、棚上の販売促進製品のための製品管理陳列システムを対象とする。この実施形態は、製品が置かれた表面に沿って移動する無軌道押出器機構を使用することを含む。無軌道システムは、周知の押出器機構を保持及び案内する軌道の使用に関する周知の問題を克服する。しかしながら、理解すべきなのは、この実施形態の教示は、押出器機構等を据え付けるための軌道を含むシステムとともに使用することができる点である。
【０００９】
押出器機構は、押出器パドルと当該押出器パドルの前方に延びる床面とを含む。平坦な巻きばね又は他の付勢要素を、押出器パドルの後ろに動作可能に接続し、押出器機構の床面にわたって棚の前まで延ばすことができる。代替的に、平坦な巻きばね又は付勢要素を、仕切り器にわたって棚組付体の前まで延ばすことができる。この構成によれば、押出器パドルは、動作中に後方にひっくり返るか又は屈曲することが防止される。
【００１０】
例示的な実施形態はまた、重力送りシステム又は棚の前に向かって製品を付勢する機構として重力を使用するシステムと同様に、水平又は非傾斜の棚又は表面上にある製品の販売促進とともに押し出し機構を使用することを含む。
【００１１】
本発明の例示的な実施形態によれば、押出器パドルは、清涼飲料の瓶又は缶のような円筒状製品を押し出す凹状押出表面を画定し、当該パドルは軌道上かつ製品の後ろに維持される。代替的に、押出器パドルは平坦な押出表面を画定する。平坦な押出表面はさらにその上縁に、円筒状製品を押し出すべく使用することができる湾曲リブ又は同様の構造物を含む。
【００１２】
本発明の他の例示的な実施形態によれば、押出器機構の床面は、押出器機構を巻きばねに対して整列させるべくノッチ付き又は切り欠き部分を含み得る。また、システムの床面も、当該床面に巻きばねの平坦な端を受容しかつ据え付けるためのノッチ又は切り欠き部分を含み得る。巻きばねをシステムの床面に据え付けるべく、ばね先端具が巻きばねの端に置かれる。代替的に、巻きばねの端は、組付体の仕切り器に据え付けることもできる。
【００１３】
さらに他の例示的な実施形態によれば、製品管理陳列システムのためのアダプタが、陳列システムの床面表面上に位置決めされる。アダプタは平面状表面を含む。これは、当該平面状表面から外方にかつ当該平面状表面にわたって実質的に平行に延びる少なくとも２つのリブを有する。平行に延びるリブ同士の間には、巻きばねが位置決めされる。この構成によれば、販売促進対象製品は、巻きばね上の直接ではなく、リブ上に着座することができるので、飲料の缶のような所定タイプの製品の前方への動きが向上する。
【００１４】
さらに他の代替的側面では、システムの床面に巻きばねの端を据え付ける据え付け部材が使用される。リブを接続することで一緒に接合される離間した滑動レールを含むシステムに対し、据え付け部材は、スナップ嵌めされるか又はそうでない場合床面上かつ当該滑動レール同士の間に据え付けられる。
【００１５】
さらに他の代替的側面では、無軌道押出器システムは、既存の棚組付体に改造目的で取り付けられる。これにより、無軌道押出器システムを、無軌道押出器組付体全体を購入することへの低コストな代替案として、既存の棚システムに配置することができる。
【００１６】
他の例示的な実施形態では、巻きばねを保持器に据え付けることができる。巻きばねの一端を保持器に直接据え付けるか又は代替的に、当該端がアダプタを介して保持器に据え付けることができる。アダプタは湾曲部分を有し得る。これは、ばねの当該端を陳列組付体に留めるべく、保持器の、対応する形状の湾曲スロットに受容される。
【００１７】
他の例示的な実施形態では、棚組付体を形成するべくトレイを、鳩尾接続を介して取り付けることができる。加えて、仕切り器は、製品列の幅が異なるサイズの製品を受容するべく適合され得るように調整することができる。
【００１８】
さらに他の例示的な実施形態によれば、製品管理陳列システムは、積み上げ可能な配列に配列することができる。組付体には、第１トレイ及び第２トレイが設けることができる。これらはそれぞれ第１壁及び第２壁を有する。第１及び第２トレイはそれぞれ、押出器機構及び保持器機構を受容するべく適合される。第１及び第２スペーサが第１及び第２トレイに据え付けられる。第１及び第２トレイは互いの頂部に積み上げられる。第１及び第２スペーサには、複数のつめを設けることができる。第１トレイ及び第２トレイにはそれぞれ、複数のつめを受容するべく、複数の対応する形状のソケットを設けることができる。
【００１９】
さらに他の例示的な実施形態によれば、棚上の販売促進製品のための製品管理陳列システムは、製品が置かれる表面に沿って移動する無軌道押出器機構と、製品を複数の列に分離する一以上の仕切り器とを使用することを含む。一以上の仕切り器は、前レールに取り付けられかつ解放可能に係合される。一以上の仕切り器が、前レールに対する所定位置に係合及び保持されない場合、陳列システムに位置決めされた一以上の仕切り器及び製品は、横方向に動かされ得るか又は前レールから離れるように持ち上げられ得る。これにより、棚上の製品を容易に棚割りすることができる。一以上の仕切り器は、対応する歯、弾性表面、ロックタブ、ロック棒、カムの使用により及び／又は摩擦若しくは圧力嵌めにより、前レールに解放可能に係合する。
【００２０】
一例では、販売促進陳列システムは、前レールと、当該前レールに係合するべく構成された少なくとも一つの仕切り器とを含む。少なくとも一つの仕切り器は障壁を含み、当該少なくとも一つの仕切り器はさらに仕切り器壁を含む。少なくとも一つの仕切り器はまた、仕切り器壁に垂直な仕切り器床面も含む。仕切り器床面は製品を保持するべく構成される。販売促進陳列システムはまた、仕切り器に結合されたカムも含む。カムは、第１位置と第２位置との間を動くべく構成される。少なくとも一つの仕切り器は、少なくとも一つの仕切り器が前レールに係合されかつカムが第１位置にある場合、（ａ）前レールに平行な横方向に可動であり、かつ、（ｂ）前レールに垂直な方向に留められる。少なくとも一つの仕切り器は、少なくとも一つの仕切り器が前レールに係合されかつカムが第２位置にある場合、（ａ）前レールに平行な横方向に固定され、かつ、（ｂ）前レールに垂直な方向に留められる。
【００２１】
一例では、販売促進陳列システムは、前レールと、当該前レールに取り付けられて製品を複数の列に分離するべく構成された複数の仕切り器とを含む。複数の仕切り器のそれぞれは、前レールに垂直な方向に延びる仕切り器壁と、当該仕切り器壁に垂直な仕切り器床面であって製品を保持するべく構成された仕切り器床面と、当該仕切り器に結合されたカムであって第１位置と第２位置との間を動くべく構成されたカムとを含む。複数の仕切り器のそれぞれは、当該複数の仕切り器のそれぞれが前レールに係合されかつ当該複数の仕切り器のそれぞれに対するカムが第１位置にある場合、（ａ）前レールに平行な横方向に可動であり、かつ、（ｂ）前レールに垂直な方向に留められる。加えて、複数の仕切り器はそれぞれ、当該複数の仕切り器それぞれが前レールに係合しかつ当該複数の仕切り器それぞれのためのカムが第２位置にある場合、（ａ）前レールに平行な横方向に固定され、かつ、（ｂ）前レールに垂直な方向に留められる。
【００２２】
一例では、販売促進陳列システムは、前レールと、当該前レールに取り付けられるべく構成された少なくとも一つの仕切り器とを含む。少なくとも一つの仕切り器は、障壁と、前レールに垂直な方向に延びる仕切り器壁と、当該仕切り器壁に垂直な仕切り器床面とを含む。ここで、仕切り器壁は、仕切り器床面を第１部分及び第２部分に分離し、その第１部分及び第２部分それぞれが製品を保持するべく構成される。販売促進陳列システムはまた、第１部分の少なくとも一部に沿って滑るべく構成された第１押出器機構と、第２部分の少なくとも一部に沿って滑るべく構成された第２押出器機構と、少なくとも一つの仕切り器に結合されたカムであって第１位置と第２位置との間で動くように構成されたカムとを含む。少なくとも一つの仕切り器は、カムが第１位置にある場合、前レールに平行な横方向にかつそれに沿って可動である。少なくとも一つの仕切り器は、当該カムが第２位置にある場合、前レールに平行な横方向のかつそれに沿っての動きに抵抗する。
【００２３】
一例では、販売促進陳列システムは、前レールと、当該前レールに取り付けられるべく構成された少なくとも一つの仕切り器とを含む。少なくとも一つの仕切り器は、前レールに係合するべく構成された障壁と、前レールに垂直な方向に延びる仕切り器壁と、当該仕切り器壁に垂直な仕切り器床面であって製品を保持するべく構成された仕切り器床面とを含む。陳列システムはまた、仕切り器に結合された弾性タブであって第１位置と第２位置との間で動くように構成された弾性タブも含む。弾性タブが第１位置にある場合、少なくとも一つの仕切り器は、前レールに平行な横方向に固定される。弾性タブが第２位置にある場合、少なくとも一つの仕切り器は、前レールに平行な横方向に可動である。
【００２４】
一例では、販売促進陳列システムは、少なくとも一つの第１凸部及び少なくとも一つの第１凹部を備える前レールと、当該前レールに取り付けられるべく構成された少なくとも一つの仕切り器とを含む。少なくとも一つの仕切り器は、仕切り器壁及び当該仕切り器壁に垂直な仕切り器床面を備える。少なくとも一つの仕切り器はさらに、少なくとも一つの第２凹部及び少なくとも一つの第２凸部を備える。仕切り器の少なくとも一つの第２凸部は、第１位置と第２位置との間を動くように構成される。少なくとも一つの仕切り器は、前レールの少なくとも一つの第１凸部が仕切り器の少なくとも一つの第２凹部に係合されかつ仕切り器少なくとも一つの第２凸部が第１位置にある場合、（ａ）前レールに平行な横方向に可動であり、かつ、（ｂ）前レールに垂直な方向に留められる。少なくとも一つの仕切り器は、前レールの少なくとも一つの第１凸部が仕切り器の少なくとも一つの第２凹部に係合されかつ仕切り器の少なくとも一つの第２凸部が第２位置にある場合、（ａ）前レールに平行な横方向の動きに抵抗し、かつ、（ｂ）前レールに垂直な方向に留められる。
【００２５】
一例では、販売促進陳列システムは前レールを含む。前レールは、少なくとも一つの第１凸部及び少なくとも一つの第２凸部を含む。前レールの少なくとも一つの第２凸部は、第１位置と第２位置との間を動くように構成される。販売促進陳列システムはまた、前レールに取り付けられるべく構成された少なくとも一つの仕切り器を含む。少なくとも一つの仕切り器は、仕切り器壁と当該仕切り器壁に垂直な仕切り器床面とを含む。少なくとも一つの仕切り器はさらに少なくとも一つの凹部を含む。少なくとも一つの仕切り器は、前レールの少なくとも一つの第１凸部が仕切り器の少なくとも一つの凹部に係合されかつ仕切り器少なくとも一つの第２凸部が第１位置にある場合、（ａ）前レールに平行な横方向に可動であり、かつ、（ｂ）前レールに垂直な方向に留められる。少なくとも一つの仕切り器は、前レールの少なくとも一つの第１凸部が仕切り器の少なくとも一つの凹部に係合されかつ前レールの少なくとも一つの第２凸部が第２位置にある場合、（ａ）前レールに平行な横方向に固定され、かつ、（ｂ）前レールに垂直な方向に留められる。
【００２６】
一例では、販売促進陳列システムは前レールを含む。前レールは第１凸部及び第２凸部を含む。販売促進陳列システムはまた、前レールに取り付けられるべく構成された少なくとも一つの仕切り器を含む。少なくとも一つの仕切り器は、仕切り器壁と、当該仕切り器壁に垂直な仕切り器床面とを含む。少なくとも一つの仕切り器はさらに、凹部及び第３凸部を含む。第２凸部又は第３凸部の少なくとも一つは、第１位置と第２位置との間を動くことができる可動凸部である。少なくとも一つの仕切り器は、前レールの第１凸部が仕切り器の凹部に係合されかつ可動凸部が第１位置にある場合、（ａ）前レールに平行な横方向に可動であり、かつ、（ｂ）前レールに垂直な方向に留められる。少なくとも一つの仕切り器は、前レールの第１凸部が仕切り器の凹部に係合されかつ可動凸部が第２位置にある場合、（ａ）前レールに平行な横方向に固定され、かつ、（ｂ）前レールに垂直な方向に留められる。
【００２７】
一例では、販売促進陳列システムは前レールを含む。前レールは少なくとも第１係合部材を含む。販売促進陳列システムはまた、前レールに取り付けられるべく構成された少なくとも一つの仕切り器を含む。少なくとも一つの仕切り器は、仕切り器壁と、当該仕切り器壁に垂直な仕切り器床面とを含む。少なくとも一つの仕切り器はさらに、少なくとも第２係合部材を含む。販売促進陳列システムはまた、第１位置と第２位置との間で動くように構成された第３係合部材を含む。少なくとも一つの仕切り器は、前レールの第１係合部材が仕切り器の第２係合部材に係合されかつ第３係合部材が第１位置にある場合、（ａ）前レールに平行な横方向に可動であり、かつ、（ｂ）前レールに垂直な方向に留められる。少なくとも一つの仕切り器は、前レールの第１係合部材が仕切り器の第２係合部材に係合されかつ第３係合部材が第２位置にある場合、（ａ）前レールに平行な横方向に固定され、かつ、（ｂ）前レールに垂直な方向に留められる。
【００２８】
一例では、販売促進陳列システムは、前レールと、当該前レールに係合するべく構成された少なくとも一つの仕切り器とを含む。少なくとも一つの仕切り器は障壁を含む。少なくとも一つの仕切り器はさらに、仕切り器壁を含む。少なくとも一つの仕切り器はさらに、仕切り器壁に垂直な仕切り器床面であって製品を保持するべく構成された仕切り器床面を含む。販売促進陳列システムはまた、仕切り器に結合されたカムも含む。カムは、第１位置と第２位置との間を動くべく構成される。少なくとも一つの仕切り器は、少なくとも一つの仕切り器が前レールに係合された場合、前レールに垂直な方向に留めることができる。カムは、当該カムが第１位置にある場合に少なくとも一つの仕切り器が前レールに平行な横方向に動くことを禁止し、かつ、当該カムは、当該カムが第２位置にある場合に仕切り器が前レールに平行な横方向に動くことを許容する。販売促進陳列システムは、カムを第１位置と第２位置との間で回転させるハンドルを含み得る。販売促進陳列システムは、カムを第１位置と第２位置との間で滑らせるハンドルを含み得る。
【図面の簡単な説明】
【００２９】
【図１】本発明の製品管理陳列システムの例示的な実施形態の等角分解図を描く。
【図２】本発明の例示的なトレイ又は製品通路に据え付けられた例示的な押出器機構の等角図を描く。
【図３】図２のシステムの他の等角図を描く。製品がシステム内に置かれている。
【図４】図２のシステムの他の等角図を描く。複数の製品がシステム内に置かれている。
【図５】図４のシステムの等角背面図を描く。
【図６】本発明のトレイ又は製品通路の代替実施形態を描く。
【図７】本発明の製品管理陳列システムとともに使用される巻きばねの一端のための例示的な先端具を描く。
【図８】トレイ又は製品通路の表面に据え付けられた図７の例示的な先端具を描く。
【図９】巻きばねの一端に据え付けられた図７の例示的な先端具を描く。
【図１０】巻きばねの一端に据え付けられた図７の例示的な先端具を描く。
【図１１】本発明の製品管理陳列システムの例示的な代替実施形態の等角図を描く。
【図１２】図１１のシステムの他の等角図を描く。
【図１３】図１１のシステムの正面図を描く。
【図１４】図１１のシステムの平面図を描く。
【図１５】図１１のシステムの背面図を描く。
【図１６】本発明とともに使用されるアダプタの等角図を描く。
【図１７】図１６のアダプタの正面図を描く。
【図１８】本発明に係るアダプタの例示的な設置を描く。
【図１９】設置された本発明に係るアダプタの等角図を描く。
【図２０】設置された本発明に係るアダプタの正面図を描く。
【図２１】本発明の製品管理陳列システムの例示的な代替実施形態の等角図を描く。
【図２２】巻きばねの一端を陳列システムの床面に据え付けるべく使用される例示的な据え付け部材の等角底面図を描く。
【図２３】図２２の例示的な据え付け部材の等角平面図を描く。
【図２４】巻きばねの一端に据え付けられた図２２の例示的な据え付け部材を描く。巻きばねが例示的な押出器パドルに据え付けられている。
【図２５】巻きばねの一端に据え付けられた図２２の例示的な据え付け部材の他の図を描く。巻きばねが例示的な押出器パドルに据え付けられている。
【図２６】図２２の例示的な据え付け部材を描く。取り付けられた巻きばねが、システムの床面に据え付けられている。
【図２７】システムの床面に設置された図２２の例示的な据え付け部材を描く。
【図２８】本発明の製品管理陳列システムの例示的な代替実施形態の等角図を描く。
【図２９】図２８の例示的な実施形態のトレイの拡大等角図を描く。
【図２９Ａ】第１の留める方法を例示する図２８の例示的な実施形態の断面図を描く。
【図２９Ｂ】第２の留める方法を例示する図２８の例示的な実施形態の断面図を描く。
【図３０】ばねをトレイに取り付けるリベットを例示する図２８の実施形態の拡大等角図を描く。
【図３１】既存のワイヤ棚に組み付けられる図２８の実施形態の等角図を描く。
【図３２】既存のワイヤ棚に組み付けられる図２８の実施形態の等角図を描く。
【図３３】陳列システムの例示的な実施形態の等角図を描く。
【図３４】陳列システムの例示的な実施形態の等角図を描く。
【図３５】アダプタの例示的な実施形態の等角図を描く。
【図３６】保持器の例示的な実施形態の等角図を描く。
【図３７】陳列システムの例示的な実施形態の側面図を描く。
【図３８】陳列システムの例示的な実施形態の等角図を描く。
【図３９】陳列システムの例示的な実施形態の等角図を描く。
【図４０】陳列システムの例示的な実施形態の等角図を描く。
【図４１Ａ】仕切り器の例示的な実施形態の部分側面図を描く。
【図４１Ｂ】陳列システムの例示的な実施形態の正面図を描く。
【図４１Ｃ】図４１Ｂの一セクションの拡大図を描く。
【図４１Ｄ】仕切り器の例示的な実施形態の正面図を描く。
【図４２】陳列システムの例示的な実施形態の等角図を描く。
【図４３】陳列システムの例示的な実施形態の等角図を描く。
【図４４】製品管理陳列システムの例示的な実施形態の等角図を描く。
【図４５】製品を有する製品管理陳列システムの例示的な実施形態の他の等角図を描く。
【図４６】製品を有する製品管理陳列システムの他の例示的な実施形態の平面図を描く。
【図４７】製品を有する製品管理陳列システムの例示的な実施形態の等角背面図を描く。
【図４８】仕切り器に据え付けられた押出器機構の例示的な実施形態の等角図を描く。
【図４９】製品管理陳列システムに組み付けられる仕切り器及び押出器機構の他の等角図を描く。
【図５０】製品管理陳列システムのさらに他の例示的な実施形態の等角図を描く。
【図５１】製品がない図５０の製品管理陳列システムの例示的な実施形態の他の等角図を描く。
【図５２】図５０の製品管理陳列システムの例示的な実施形態の分解等角図を描く。
【図５３】製品管理陳列システムのさらに他の例示的な実施形態の等角図を描く。
【図５４】図５３の製品管理陳列システムの棚への押出器ばねの例示的な取り付けの等角図を描く。
【図５５】図５３の製品管理陳列システムの棚への押出器ばねの例示的な取り付けの等角図を描く。
【図５６】図５３の製品管理陳列システムの棚への押出器ばねの例示的な取り付けの等角図を描く。
【図５７】図５３の製品管理陳列システムの棚への押出器ばねの例示的な取り付けの等角図を描く。
【図５８】本開示の一以上の側面に係る製品管理陳列システムの例示的な実施形態の等角図を描く。
【図５９】図５８の例示的な製品管理陳列システムの等角図を描く。
【図６０】本開示の一以上の側面に係る例示的な押出器機構の等角図を描く。
【図６１】本開示の一以上の側面に係る例示的な仕切り器の部分等角図を描く。
【図６２】本開示の一以上の側面に係る例示的な仕切り器及び押出器機構の等角図を描く。
【図６３】本開示の一以上の側面に係る例示的な仕切り器の前部分の部分等角図を描く。
【図６４】本開示の一以上の側面に係る例示的な前レールの前部分の部分等角図を描く。
【図６５】本開示の一以上の側面に係る例示的な仕切り器及び前レール間接続の部分等角図を描く。
【図６６】本開示の一以上の側面に係る例示的な仕切り器及び前レールの側面図を描く。
【図６７】図６７Ａ〜Ｃは、本開示の一以上の側面に係る例示的な前レールに取り付けられる仕切り器の側面図を描く。
【図６８】図６８Ａ〜Ｃは、本開示の一以上の側面に係る例示的な前レールに取り付けられる仕切り器の側面図を示す。
【図６９】図６９Ａは、本開示の一以上の側面に係る例示的な前レールのためのレール据え付け留め具の等角図を描く。図６９Ｂは、本開示の一以上の側面に係る例示的な前レールの等角図を描く。
【図７０】本発明の一以上の側面に係る例示的な前レール及びレール据え付け留め具の等角図を描く。
【図７１】本開示の一以上の側面に係る例示的な前レールの等角図を描く。
【図７２】本開示の一以上の側面に係る例示的な仕切り器及び押出器機構の等角図を描く。
【図７３】本開示の一以上の側面に係る例示的な仕切り器及び押出器機構の等角図を描く。
【図７４】本開示の一以上の側面に係る例示的な仕切り器の部分等角図を描く。
【図７５】本開示の一以上の側面に係る例示的な前レールの部分等角図を描く。
【図７６】図７６Ａ及び７６Ｂは、本開示の一以上の側面に係る例示的な前レール及びカム棒レバーの部分等角図を描く。
【図７７】本開示の一以上の側面に係る例示的な製品管理陳列システムの正面分解図を描く。
【図７８】本開示の一以上の側面に係る例示的な製品管理陳列システムの背面分解図を描く。
【図７９】図７９Ａ〜Ｃは、本開示の一以上の側面に係る例示的な前レール及び仕切り器の側面図を描く。
【図８０】本開示の一以上の側面に係る例示的な製品管理陳列システムの等角図を描く。
【図８１】図８１Ａ〜Ｂは、本開示の一以上の側面に係る例示的な前レール及び仕切り器の部分側面図を描く。
【図８２】図８２Ａ〜Ｃは、本開示の一以上の側面に係る例示的な前レール及び仕切り器部分的な側面図を描く。
【図８３】図８３Ａ〜Ｃは、本開示の一以上の側面に係る例示的な前レール及び仕切り器の部分側面図を描く。
【図８４Ａ】本開示の一以上の側面に係る例示的な製品管理陳列システムの等角図を描く。
【図８４Ｂ】本開示の一以上の側面に係る例示的な製品管理陳列システムの等角図を描く。
【図８４Ｃ】本開示の一以上の側面に係る例示的な製品管理陳列システムの等角図を描く。
【図８４Ｄ】本開示の一以上の側面に係る例示的な製品管理陳列システムの等角図を描く。
【図８４Ｅ】本開示の一以上の側面に係る例示的な製品管理陳列システムの等角図を描く。
【図８４Ｆ】本開示の一以上の側面に係る例示的な製品管理陳列システムの等角図を描く。
【図８５】本開示の一以上の側面に係る例示的な仕切り器及び前レールの側面図を描く。
【図８６Ａ】本開示の一以上の側面に係る例示的な製品管理陳列システムのコンポーネントの図を描く。
【図８６Ｂ】本開示の一以上の側面に係る例示的な製品管理陳列システムのコンポーネントの図を描く。
【図８６Ｃ】本開示の一以上の側面に係る例示的な製品管理陳列システムのコンポーネントの図を描く。
【図８６Ｄ】本開示の一以上の側面に係る例示的な製品管理陳列システムのコンポーネントの図を描く。
【図８６Ｅ】本開示の一以上の側面に係る例示的な製品管理陳列システムのコンポーネントの図を描く。
【図８６Ｆ】本開示の一以上の側面に係る例示的な製品管理陳列システムのコンポーネントの図を描く。
【図８６Ｇ】本開示の一以上の側面に係る例示的な製品管理陳列システムのコンポーネントの図を描く。
【図８６Ｈ】本開示の一以上の側面に係る例示的な製品管理陳列システムのコンポーネントの図を描く。
【図８６Ｉ】本開示の一以上の側面に係る例示的な製品管理陳列システムのコンポーネントの図を描く。
【図８６Ｊ】本開示の一以上の側面に係る例示的な製品管理陳列システムのコンポーネントの図を描く。
【図８６Ｋ】本開示の一以上の側面に係る例示的な製品管理陳列システムのコンポーネントの図を描く。
【図８６Ｌ】本開示の一以上の側面に係る例示的な製品管理陳列システムのコンポーネントの図を描く。
【図８７】図８７Ａ〜Ｃは、本開示の一以上の側面に係る例示的な仕切り器及び前レールの側面図を描く。
【図８８】図８８Ａ〜Ｂは、本開示の一以上の側面に係る例示的な仕切り器の等角図を描く。
【図８９】図８９Ａ〜Ｃは、本開示の一以上の側面に係る前レールに取り付けられる例示的な仕切り器の側面図を描く。
【図９０Ａ】本開示の一以上の側面に係る前レールに取り付けられる例示的な仕切り器の図を描く。
【図９０Ｂ】本開示の一以上の側面に係る前レールに取り付けられる例示的な仕切り器の図を描く。
【図９０Ｃ】本開示の一以上の側面に係る前レールに取り付けられる例示的な仕切り器の図を描く。
【図９０Ｄ】本開示の一以上の側面に係る前レールに取り付けられる例示的な仕切り器の図を描く。
【図９０Ｅ】本開示の一以上の側面に係る前レールに取り付けられる例示的な仕切り器の図を描く。
【図９０Ｆ】本開示の一以上の側面に係る前レールに取り付けられる例示的な仕切り器の図を描く。
【図９１Ａ】本開示の一以上の側面に係る例示的な仕切り器及び後ろレールの図を描く。
【００３０】
本発明の実施形態を詳細に説明する前に理解すべきなのは、本発明が、その適用において、以下の説明に記載され又は図面に例示される構造の詳細及びコンポーネントの配列に限られないということである。本発明は、他の実施形態が可能であり、及び様々な方法で実施又は実行することもできる。また、理解すべきことだが、ここで使用される言い回し及び用語は、説明目的であって、限定とみなしてはならない。「含む」及び「備える」並びにこれらのバリエーションの使用は、後に列挙される項目及びその等価物を付加的項目及びその等価物と同様に包含することを意味する。さらに、用語「据え付け」、「据え付けられ」又は「据え付ける」の使用は、直接又は間接を問わず一方の部品を他方の部品に据え付ける、取り付ける、接合する又は結合する任意の手法又は方法を広く含むことを意味する。
【発明を実施するための形態】
【００３１】
本発明は様々な形態で実施することができる。同じ番号が同じ要素を示す図面を参照すると、図１には、例示的な実施形態の等角分解図が描かれている。例示的な販売促進システム１０は製品供給トレイ１２を含む。製品供給トレイ１２には、例示的な無軌道押出器機構１４が据え付けられる。以下に詳細に説明されるが、押出器機構１４はトレイ１２に嵌まり込む。押出器機構１４は、従来型押出器機構をトレイに又はトレイ床面に保持するべく典型的に使用される軌道、レール又は案内を使用することなく、トレイ表面に沿って滑る。押出器機構は、押出器パドルと当該押出器パドルの前方に延びる押出器床面とを画定する。巻きばねが、押出器床面にわたって延び、かつ、トレイ上の前方位置において当該トレイに動作可能に接続される。本発明の一側面では、販売促進対象製品が、トレイにおいて押出器パドルの前に置かれ、かつ、押出器床面及び巻きばねの上に着座する。この構成によれば、製品の重量によって、押出器パドルがひっくり返ることが防止されて製品の適切な押し出しが保証される。加えて、軌道、レール又は案内を使用する周知の押出器システムの有効性を邪魔する堆積物又は粘着性物質に関連する問題が解消される。本発明の他の側面、実施形態及び特徴、並びにその教示が以下詳細に記載される。
【００３２】
例示的なトレイ１２は、一表面１６と、製品配置を目的としてトレイを多数列に分割する一以上の仕切りパネルすなわち仕切り器１８とを画定する。代替的側面では、トレイ１２は、販売促進を目的として製品が置かれる棚又は他の任意表面である。表面１６は、連続した表面、又は複数の離間する穴２０を画定する表面である。複数の離間する穴２０は、複数の支持リブ２２によって分割される。穴２０及びリブ２２は一表面を与える。この表面は、当該表面上に置かれた製品の滑り可能な動きを許容し、かつ、液体及びほこりが穴２０を貫通して表面１６上に集まらないようにする。表面１６は、表面１６上での製品の滑り可能な動きを許容する任意の適切な材料から作られる。他の表面又は床面構成が知られており、本発明の原理とともに使用することができる。
【００３３】
図９及び１０に描かれるように、表面１６は丸い端部分２４を画定する。丸い端部分２４は、ノッチすなわち切り欠き部分２６を含む。端部分２４は、トレイ上に置かれる製品の形状に整合するように丸くされる。例えば、描かれた端部分２４は、トレイにかつ端部分２４に置かれる瓶又は缶の輪郭に整合するように丸められ、すなわち半円形状を画定する。本発明に関し、販売促進対象製品に応じて端部分の他の形状を使用することもできる。
【００３４】
巻きばね３０又は同様の付勢要素の端２９を受容し及び据え付けるべく、ノッチ２６が使用される。ノッチ２６は、対向する角度付き縁表面３２を画定する。縁表面３２は縁３４と接合される。縁３４は好ましくは、トレイ１２に形成される製品列の幅方向中央に配置され、かつ、当該トレイの長さ方向に対して垂直に延びる。この構成により、巻きばね３０がトレイ１２に対して中央に配置され、かつ、当該ばねが当該トレイの長さ方向に対して実質的に平行に延びる。換言すれば、描かれたノッチ２６の縁３４によって、ばね３０は、トレイ１２の長さ方向において当該トレイにより形成される製品列の中心又はその近くに延びる。当業者であればわかることだが、ノッチの位置及び構成は、ばねの所望の配置に応じて変わり得る。
【００３５】
巻きばね３０は端２９を画定する。端２９は、ノッチ２６にわたってかつ縁３４に向かって配置されるように構成される。一側面では、巻きばねの端２９は、Ｖ字形状とされてフックとして機能する。その結果、端２９は、表面１６の端部分２４の下に延びる巻きばねの端２９の一部分によって縁３４のまわりに巻き付く。この構成により、巻きばねをトレイに対して容易に設置することができる。
【００３６】
他の側面では及び図７を参照すると、ばね先端具６０が、当該ばねのシステムへの据え付けを補助するべく、ばね３０の端２９に付加される。ばね先端具６０は、ばね端を取り付ける必要があるトレイ及び表面の構成に応じて多数の形状及び構成を画定する。ばね先端具６０は、巻きばね３０の端２９に永久的に取り付けられるか又はばね先端具６０の互換若しくは交換を許容するべく取り外し可能とされる。ばね先端具６０はプラスチック製であり、一以上の穴を画定する。穴６１は、巻きばね３０の端２９を受容するべく使用される。第２の穴６３が使用されて、以下に説明されるように、トレイ１２の表面１６から延びる相手側の舌部すなわち据え付け部材６５が受容される。この構成によれば、巻きばね３０の端２９をトレイ１２に対して動作可能に接続することができる。
【００３７】
他の側面では、巻きばねの端２９は、表面１６に形成された穴にスナップ嵌めされる。そうでない場合、トレイの穴又は開口に挿入かつ留められる。これによって、巻きばね３０の端２９は定位置に留められる。
【００３８】
図１に戻ると、仕切り器１８は製品を複数列に分割するべく使用することもできる。仕切り器１８は、表面１６から実質的に上方に延び、かつ、図１に例示されるように表面１６の対向側部に位置決めされる。代替的に、仕切り器１８は、トレイ１２上の又は表面１６の任意の所望位置に位置決めされる。仕切り器１８は、表面１６を有する一体的構造物として形成されるか又はシステムに追加の柔軟性を与えるべく取り外し可能とされる。仕切り器は、システムに応じて前又は後ろのレールに取り付けられる。仕切り器１８は、多数の構成を画定し、かつ、任意の所望距離だけ上方に延びる。その結果、販売促進対象製品の複数列間にある当該仕切り器の所望高さが得られる。この高さは、仕切り器拡張器等を加えることによって調整可能である。
【００３９】
トレイ１２の前に配置されかつ仕切り器１８同士間に延びるのは、一以上の製品保持部材４４である。製品保持部材４４は、製品をトレイ１２に保持し、かつ、トレイ１２からの落下を防止する前保持壁又は棒として作用する。これらの部材はまた、トレイ１２に位置決めされた最前方の製品を容易に取り外すことができるように構成される。製品保持部材４４は、図１に描かれるように、一以上の湾曲形状保持リブである。これら例示の保持リブは、一方の仕切り器から他方の仕切り器まで延びることによって当該仕切り器を接合する。保持リブはまた、図１にリブ４６として示されるように、仕切り器同士の間に部分的に延びる。これもまた、製品をトレイに保持する補助となる。代替的に及び図６に示されるように、製品保持部材４４は、仕切り器同士の間に延びる湾曲形状の連続する保持壁４８である。保持壁４８は、棚上の製品を可視化するべく透明又は半透明である。他の側面では、保持壁４８はまた、仕切り器１８同士の間に部分的に延びる。図１１〜１５に描かれるさらに他の実施形態では、保持壁１００は、トレイの表面に取り付けられるが仕切り器に接続されない。この実施形態では、保持壁１００は、上方部材１０４により画定された開口１０２、角度付き縁１０８をさらに画定する湾曲した対向側壁１０６、及び床面部材１１０を形成する。側壁１０６はまた、システムに応じて直線的かつ非湾曲でもある。巻きばねの端はまた、床面１１０の中にスナップ嵌めされ、そうでない場合は、ここに記載される任意の手法によってトレイに取り付けられる。当業者であればわかることだが、製品保持部材４４にとって可能な多数の形状及び構成が存在し、描かれた構成は、これら多数の構成の単なる例示的な実施形態である。
【００４０】
図１に戻ると、例示的な無軌道押出器機構１４が、押出器パドル５０及び押出器床面５２を画定する。押出器パドル５０及び押出器床面５２は、単数の一体的構造物として形成されるか又は周知の手法によって一緒に接合される別個の構造物である。加えて、押出器パドル５０及び押出器床面５２は、任意の周知かつ適切なプラスチック又は金属材料から作られる。押出器パドル及び押出器床面は、任意の周知な補強手法によって補強される。
【００４１】
一側面では、押出器パドル５０は、湾曲形状の押出器表面すなわちフェース５４を形成する。フェース５４は、図３〜５に描かれるように、飲料を包含するプラスチック瓶又は缶のような販売促進対象製品の形状に整合するように構成される。湾曲形状の押出器表面５４により、押出器はトレイにおいて中心が最後の製品と整列したままとなり得る。この構成により、押出器と仕切り器壁との間の摩擦及び抵抗が低減される。代替的側面では、押出器表面すなわちフェースは平坦な表面である。さらに他の実施形態では，平坦な押出器表面には、押出器パドルの頂部に又はその近くに位置決めされた湾曲形状リブが付随する。当該リブは、図１に描かれた湾曲形状の押出器表面５４と同様、トレイにおける製品を中心に整合させるべく使用される。湾曲形状リブは、円筒状又は同様の形状の製品がトレイにおいて適切に押し出されるような他の形状及び構成を画定してもよい。広告、製品識別又は他の製品情報を押出器表面５４上に配置してもよい。
【００４２】
押出器表面すなわちフェース５４の後ろに位置決めされるのは、リブ、壁又は補強用板のような一以上の支持部材５８である。支持部材５８は、押出器表面５４を支持するべく、さらには押出器パドル５０を押出器床面５２に接続するべく構成される。図５に見られるように、支持部材５８同士の間に位置決めされるのは巻きばね３０であり、詳しくは、業界において理解されるような、押出器パドル５０を前方へかつトレイ１２に沿うように付勢するべく使用される巻き端５７である。巻きばねを動作可能に押出器パドル５０に接続するべく使用される任意の手法を、本発明に関して使用することができる。
【００４３】
図１に示されるように、押出器床面５２は、押出器パドル５０の下方に位置決めされ、かつ、押出器パドルの押出器表面５４の前方に延びる。押出器床面５２は、任意の所定距離だけかつ任意の所定角度に延びる。例えば、押出器床面５２は、押出器表面５４に対して実質的に垂直に延びる。例示的な実施形態では、押出器床面５２は、単数の瓶又は缶のような一つの製品を押出器床面上に置くのに十分な距離だけ延びる。他の側面では、押出器床面５２は、一つより多くの製品が押出器床面上に置かれるように構成される。押出器床面５２は、描かれた丸形状を含む任意の形状を画定し、及び、押出器床面の表面上に、リブ、壁等のような任意の製品保持外形を画定する。これらは、製品を押出器床面上にさらに保持する。
【００４４】
図２に見られるように、押出器床面５２は、巻きばね３０を着座させるサイズ、形状及び構成にされた細長い通路、溝又は凹み部分５９を画定する。例示的な実施形態では、通路すなわち溝５９は、床面５２にわたって、かつ、押出器パドル５０に対して実質的に垂直に延びる。代替的側面では、溝又は通路は、図１９に示されるように、部分的に又は押出器床面５２全体にわたって延びる。かかる構成により、トレイにおける押出器パドル５０の適切な整列状態及び位置決めが可能となる。溝５９は、巻きばね３０の厚さに整合するか又はそれを超える深さを画定する。この構成によれば、巻きばね３０が押出器床面表面に又はその下方に着座するので、製品が巻きばねに直接載置されることがなく、むしろ当該製品は押出器床面表面上に載置される。図１９に示されるように、押出器床面は、堆積物又は他の物が貫通する穴及び開口を含む。代替的に、床面は連続した表面である。
【００４５】
本発明の代替的側面では、図１６〜２０に示されるように、アダプタ１８０は表面１６上に位置決めされる。図１６及び１７を参照すると、アダプタ１８０は、製品が着座する一以上の隆起リブ１８２を含む。隆起リブ１８２は、アダプタ１８０の長さに沿って長手方向に延びる。アダプタ１８０は、プラスチック材料（又は他の任意の適切な材料）の平坦な押し出し成形品であって、一以上のリブ１８２を有する平面状表面１８４を画定する。リブ１８２は、平面状表面１８４から外方に延びる。アダプタ１８０は、丸い端１８５を画定し、かつ、ノッチすなわち切り欠き部分１８６を含む。切り欠き部分１８６を通り又はこれにわたって巻きばねが延びる。丸い端１８５は、トレイ上に置かれる製品の形状に整合するように構成される。本発明に関し、端１８５、ノッチ１８６及びアダプタ１８０の他の形状も販売促進対象製品に応じて使用される。アダプタ１８０は、別個かつ挿入可能な一片、又は代替的に表面１６と一体形成される一片である。
【００４６】
図１８を参照すると、アダプタ１８０は、表面１６上に対しかつ仕切り器１８同士の間に容易に挿入することができる。図１９を参照すると、ひとたびアダプタ１８０が設置されると、押出器機構１４がアダプタ１８０の頂部に位置決めされ、かつ、アダプタ１８０のリブ１８２にわたって自由に滑る。巻きばね３０は、図２０にさらに明確に示されるように、リブ１８２同士の間に平行に延び、かつ、リブ１８２の頂部表面に又はその下方に着座される。この構成によれば、販売促進対象製品が、巻きばね３０上ではなく、リブ１８２上に着座しかつそれに沿って滑る。
【００４７】
代替的側面では、リブ１８２は、表面１６上の製品の動きを促すべく使用される隆起した単数若しくは複数のビード又は一連のフィンガである。さらに他の代替実施形態では、リブ１８２は、複数の滑動部又は一以上のローラ若しくは転動部材のような製品移動部材である。これらにより、製品は、転動部材にわたって転がって製品陳列システムの前に向かうことができる。例示的なローラ組付体は、ＲＴＣ  Ｉｎｄｕｓｔｒｉｅｓ，Ｉｎｃに譲渡された２００５年１０月２５日出願の米国出願第１１／２５７，７１８号に開示かつ記載されたものを含む。この出願は参照としてここに組み入れられる。当業者にわかるはずだが、記載された押出器機構に関し、棚又は床面上の製品の動きを促進するべく使用される多くの可能な手法が存在する。
【００４８】
押出器床面５２の下側は、表面１６に沿って自由に滑る滑らかな平面状表面である。代替的にかつ上述と同様に、押出器床面５２は、押出器床面が表面に沿って滑ることを許容するが、押出器床面を表面１６から上に持ち上げるビード、滑動部、ローラ等を含む。他の代替実施形態では、押出器床面の下側には、業界において理解されるような、押出器の軌道又はレールへの据え付けを許容するレール据え付け部材が設けられる。
【００４９】
押出器床面はさらに、巻きばね３０が貫通するノッチすなわち切り欠き部分６２を画定する。巻きばね３０の端２９がノッチ６２を貫通し、及び表面１６のノッチ２６を貫通し、並びに上述の手法のいずれかを使用してトレイに据え付けられる。
【００５０】
使用時、押出器機構１４がトレイ１２において後方に付勢されると、巻きばね３０の端２９が上述のように所定位置に保持され、かつ、ばね３０の巻かれた端５７が押出器パドル５０の後ろでまっすぐになり始める。製品がトレイの前から取り外される場合のように、押出器１４がトレイ１４において前方への移動が許容されると、ばね３０の巻かれた端５７は、丸くなってトレイ１２において押出器パドル５０に前方への力を加える。これにより、製品はトレイの前に向かって付勢される。
【００５１】
代替実施形態では、巻きばね３０は、当該図に描かれる押出器床面の上方かつ上面とは反対に、押出器床面５２の下方かつ下面に延びる。この構成によれば、溝５９及びノッチ６２は不要となる。
【００５２】
巻きばね３０は、押出器システムに関して共通して使用される平坦な巻きばねを含むがこれに限られない任意の付勢部材である。本発明は、押出器機構１４を所望の用途に応じて前方に付勢するべく一以上の巻きばねを使用する。ばね３０の巻き張力はまた、特定の用途に応じて変えることもできる。
【００５３】
図２を参照すると、トレイ１２に据え付けられた無軌道押出器機構１４が示される。例示のように、押出器機構１４は、仕切り器１８同士の間においてトレイ１２に嵌められる。巻きばね３０の端２９が、上述のように、押出器床面のノッチを貫通して延びてトレイに据え付けられる。使用時、押出器機構１４は、軌道、レール又は案内を使用することなく、トレイ１２の表面１６に沿って滑る。図２に描かれるように、押出器機構１４は前方位置が示される。
【００５４】
図３を参照すると、販売促進システム１０にある一つの製品７０の販売促進をする押出器機構１４が示される。製品は、製品保持部材４４によって、トレイからひっくり返されることが防止される。製品７０は、描かれた清涼飲料瓶を含む任意の販売促進対象製品である。この図に示されるように、製品７０は、押出器床面５２及び当該製品の下方に延びる巻きばね３０に着座する。床面５２にかかる製品の重量及び当該製品のばね３０にわたる位置決めにより、パドル５０はトレイ１２においてひっくり返されることが防止される。
【００５５】
図４を参照すると、販売促進システム１０において複数の製品７０の販売促進をする押出器機構１４が示される。この図に示されるように、押出器パドル５０と隣り合う製品は、押出器床面５２上、及び当該製品の下方に延びる巻きばね３０上に着座する。他の製品は、これらの製品の下方に延びる巻きばね３０上に着座する。代替的に、アダプタ１８０がシステムに位置決めされる。この場合、製品は、巻きばねに対向するアダプタのリブ１８２上に着座する。再びであるが、押出器床面５２にかかる製品の重量及びばね３０にわたる製品の位置決めにより、パドル５０はトレイにおいてひっくり返されることが防止される。使用時、一つの製品が製品保持部材４４近くのトレイの前から取り外されると、押出器機構１４は（巻きばね３０の付勢を介して）、残りの製品をトレイ１２において前方に押し出し、最終的に最前方の製品が製品保持部材４４と接触する。さらなる製品が取り外されると、押出器機構１４は続けて残りの製品を製品保持部材４４に向けて押し出す。
【００５６】
図５を参照すると、押出器機構１４の背面図が、販売促進システム１０において複数の製品７０の販売促進をする押出器機構１４を示す。再びであるが、押出器パドル５０と隣り合う製品が、押出器床面５２上、及び当該製品の下方に延びる巻きばね３０上に着座する。他の製品は、これらの製品の下方に延びる巻きばね上に着座する。代替的に、アダプタ１８０がシステムに位置決めされる。この場合、製品は、巻きばねに対向するアダプタのリブ１８２上に着座する。一つの製品が製品保持部材４４近くのトレイの前から取り外されると、巻きばね３０の巻き端５７が、押出器機構１４の押出器パドル５０を付勢してトレイ１２において前方に押し出し、最終的に最前方の製品が製品保持部材４４と接触する。この図に見られるように、巻き端５７は２つの支持部材５８間に位置決めされる。支持部材が巻きばねをこれらの部材間に保持する。この図に見られるように、押出器床面５２はまた、支持部材５８の下方に延びる。
【００５７】
図６を参照すると、押出器トレイの代替実施形態が描かれる。この実施形態によれば、複数のトレイ１２が一つの多重トレイ組付体８０に形成される。多重トレイは、複数の仕切り器１８との共通床面を有する。複数の仕切り器１８は当該床面から上方に延びて多重のトレイ又は列をもたらす。この実施形態では、製品保持部材４４は、上述のように２つの仕切り器間に延びる連続した部材である。一以上の多重トレイ組付体８０が、留め具、鳩尾、締め具等を含む任意の周知な手法により、並列して一緒に結合又は接合される。この構成によれば、多数の製品の販売促進を目的として、多数の製品列を与えることができる。
【００５８】
上述のように、無軌道押出器機構１４は、重力送りシステム、すなわち製品の販売促進の補助を重力にさせるべく傾斜面上に据え付けられたトレイ又は製品通路を有するシステム、とともに使用される。代替的に、無軌道押出器機構１４は、重力が製品の販売促進の補助をほとんど又は全く与えない非傾斜すなわち水平に据え付けられるシステムとともに使用される。無軌道押出器機構１４はまた、様々な形状の製品を押し出すべく使用することもできる。
【００５９】
図７は、巻きばね３０の端２９のための例示的な先端具６０を描く。これは、販売促進システム１０とともに使用される。例示のように、先端具６０は、巻きばねの端２９を受容する穴６１とトレイの表面１６への据え付け用の穴６３とを画定する。図７に見られるように、代替実施形態の一側面において、表面１６の直下に延びるのは、舌部すなわち据え付け部材６５である。これは、穴６３を相手とし、かつ、先端具６０を舌部６５にひいては表面１６にスナップ嵌めさせるべく構成される。
【００６０】
図８を参照すると、図７の例示的な先端具６０が、舌部すなわち据え付け部材６５に据え付けられるところが示される。舌部６５は、細長くかつ外方に延びるリブ６７を含む。これは、先端具６０を舌部６５にスナップ嵌めさせるべく使用される。当業者にわかることだが、先端具６０を表面１６に据え付けるべく他の手法を使用することができるので、描かれた手法は、かかる手法の一つの単なる例示的な実施形態に過ぎない。
【００６１】
図９を参照すると、表面１６に、詳しくはトレイ１２の表面１６の端部分２４に、スナップ嵌めで完全に据え付けられた例示的な先端具６０が示される。さらに描かれているのは、巻きばね３０の端２９の、先端具６０の穴６１への据え付けである。図９を参照すると、巻きばねの端２９は、穴６１に挿入される。穴６１は、巻きばねの端２９を受容しかつ端２９を所定位置に保持するべく、さらには、押出器機構１４をシステムから取り外すことができるように巻きばねを先端具から接続解除することが望ましい状況において、巻きばねの端２９を穴６１から取り外し可能に構成される。
【００６２】
図１０を参照すると、例示的な先端具６０に完全に据え付けられた巻きばねの端２９が示される。この図に例示されるように、巻きばね３０は今や、トレイ１２の表面１６に動作可能に接続されている。その結果、押出器機構１４は今や、トレイ１２に据え付けられている。
【００６３】
図２１〜２７を参照すると、巻きばね３０の端２９を販売促進陳列システムに据え付ける代替的手法が示される。据え付け部材１３０が、巻きばねの端２９をシステムの床面１３１に据え付けるべく使用される。接続リブ１３４（図２６〜２７）によって一緒に接合された離間する滑動レール１３２を含むシステムに対し、据え付け部材１３０がスナップ嵌めされ、そうでない場合は、床面１３１上かつ滑動レール１３２同士の間に据え付けられる。したがって、据え付け部材は、巻きばねの端を所定位置にかつシステムの床面に保持する。
【００６４】
図２２〜２３を参照すると、据え付け部材１３０は、部材１３０の一以上の側部に一以上の脚部１３６を含む。脚部は、レール１３２の下側にスナップ嵌めされることにより、据え付け部材１３０をシステムの床面に保持するべく構成される。脚部１３６は、Ｌ字形状の又は角度付き表面を画定する脚部端１３７を含む。当該表面は、レール１３２の下側に接触し、かつ、脚部を意図的に撓ませてレール１３２の下側から外す場合を除いて据え付け部材１３０が床面から持ち上がらないように構成される。脚部１３６は接続リブ１３４に接触する。接続リブ１３４は、床面に対する据え付け部材１３０の滑り可能な動きを防止する図２６を参照すると、据え付け部材１３０が、システムの床面に、詳しくはレールに据え付けられるところが示される。図２７が例示するのは、押出器パドル１４１がシステムの前から引き離されるときでも、据え付け部材１３０が所定位置のままにあることである。据え付け部材１３０は、他の手法によってこのタイプのシステム床面１３１に接続することもできる。例えば、据え付け留め具、一以上の締め具、接着剤、又は他の手法を、据え付け部材１３０を床面１３１に留めるべく使用することができる。
【００６５】
図２２〜２３を参照すると、据え付け部材１３０はまた、ばねの端２９を受容する穴又は開口すなわちスロット１３８を含む。ばねは、ここに記載される任意の手法又は他の手法によって据え付けることができる。穴１３８及び据え付け部材１３０の構成により、上述の手法と同様に、ばねが据え付け部材１３０上の所定位置に保持される。
【００６６】
据え付け部材１３０はまた、頂部表面上に滑動リブ１３９を含む。滑動リブ１３９により、その上に置かれた製品は、据え付け部材がシステムの床面に設置された後に据え付け部材にわたって容易に滑ることができる。据え付け部材１３０はまた、細長くかつ平坦な本体１４０を含む。本体１４０は、脚部１３６の位置より前方に延びて据え付け部材１３０に対し、システムの床面に据え付け後の安定性を与える。
【００６７】
図２４〜２５及び２７を参照すると、押出器パドル又は押出器機構１４１は、押し出し対象である製品の形状に整合するべく構成された押出器フェース１４３を含む。例示のように、押出器フェース１４３は、瓶等の円筒状物体の形状に整合する湾曲形状である。押出器パドル１４１はまた、上述の押出器床面構成と同様の押出器床面１４５を含む。押出器床面１４５はさらに、ばねスリーブ１４７を含む。ばねスリーブ１４７は、巻きばね３０を受容して当該ばねを遮蔽かつ保護する。ばねスリーブ１４７は、押出器床面１４５にわたって部分的に又は完全に、かつ、ばね３０の方向に延びる。ばねスリーブ１４７は、製品がその上に着座しても当該製品の著しいひっくり返り又は傾きがないように、相対的に短い高さ及び平坦な表面１４９を有する。
【００６８】
押出器パドル１４１は、上述のように、床面１３１の頂部に位置決めされて当該表面の頂部上で滑動する。押出器パドルは、製品保持部材１５５によって一緒に接合された２つの製品仕切り器壁１５３間に位置決めされる。付加的な製品保持部材１５７が、製品仕切り器から外方に延びる。
【００６９】
図２８及び２９を参照すると、巻きばね３０の端２９を販売促進陳列システムに据え付けるさらに他の代替手法が示される。この実施形態では、端２９はトレイ２１６にリベット留めされる。
【００７０】
代替実施形態の図２８〜３２を参照すると、無軌道押出器システムは、製品仕切り器がすでに組み込まれている既存の棚組付体２３０に改造目的で取り付けられる。例えば、一つの実施形態では、無軌道押出器システムは、既存のワイヤ棚組付体に改造目的で取り付けられる。図３０〜３２を参照すると、トレイ又はアダプタ２１６が滑動床面２２２を有する。滑動床面２２２は、棚２３４の単数レーンに合うサイズに又は棚全体の幅に合うサイズにされる。滑動床面２２２は、いくつかの隆起リブ２２４を含む。これらは、トレイ２１６上で販売促進される製品に対する摩擦を低減するのに役立つ。理解すべきことだが、一以上の隆起リブ２２４が滑動床面２２２とともに使用される。代替的に、滑動床面２２２は、隆起リブなしの平坦かつ平面状表面である。トレイ又はアダプタ２１６は、図１６のアダプタ１８０と同様に構成される。
【００７１】
図２８及び３０に示されるように、巻きばね３０の端２９は、リベット２２９を介してトレイ２１６の前端２２８にリベット留めされるか又は他の任意の取り付け手法によって取り付けられる。トレイ２１６は、特定の棚に適した任意の取り付け手法によって当該棚に保持することができる。一つの実施形態では、図２９〜３２に例示されるように、トレイ２１６が、一以上の外方に延びるフィンガすなわちスナップ２２０を含む。これは、一以上の棚２３４の別個のワイヤ２３２に係合してトレイ２１６を棚２３４上に保持する。フィンガすなわちスナップ２２０は、トレイ２１６の長さに沿って長手方向に延びるか又は当該トレイの長さに沿って離間される。スナップ２２０は、トレイ２１６を既存のワイヤ棚にスナップ嵌めするべく使用することができる。図２９Ａ及び２９Ｂに描かれるように、スナップ２２０Ａ及び２２０Ｂは、トレイ２１６が棚にスナップ嵌めされ得る多数の構成を画定することができる。図２８〜３２に描かれる実施形態では、無軌道押出器システムを、ワイヤ棚システムのような既存の棚システムに、無軌道押出器組付体全体に対する低コスト代替例として配置することができる。理解すべきことだが、この実施形態によれば、ここに記載されるいずれの押出器機構も使用することができる。
【００７２】
図３３及び４４に描かれるように、他の例示的な実施形態では、陳列管理システムは、一以上の押出器機構２８６、一以上の仕切り器２６６、一以上のトレイ３０６及び一以上の保持器２５０を含む。押出器機構２８６は、押出器パドル２８７及び押出器床面２８８から形成され得る。製品が押出器床面２８８上に置かれ、かつ、仕切り器２６６及び押出器パドル２８７を介して陳列管理システムの前まで案内される。巻きばね３０は、押出器機構２８６を保持器２５０に向かうように付勢する。その結果、製品はシステムの前まで動く。
【００７３】
図３３に描かれる一つの例示的な実施形態では、巻きばね３０は、保持器２５０に据え付けることができる。代替的に、巻きばね３０は、仕切り器２６６にも据え付けることができる（図４８及び４９にも示される）。巻きばね３０は、図３３に描かれるように保持器２５０に直接据え付けることができるか又は、図３４に描かれるように、別個のアダプタ２５２を介して保持器２５０に据え付けることができる。
【００７４】
図３５に描かれるように、アダプタ２５２は、第１端２５６に近接する壁２５４を有する。第１端２５６は、上方に湾曲した湾曲部分２６２を有する。アダプタ２５２の中間部分には、湾曲スロット２６０が設けられる。湾曲スロット２６０は、対応する形状のばね端（図示せず）を受容するべく適合される。
【００７５】
巻きばね３０は一端が、アダプタ２５２の中間部分に留められ得る。例示的な実施形態では、湾曲スロット２６０は、第１ばね端の形状及びサイズに対応する。加えて、巻きばね３０の第１ばね端は、追加の締結を与えるべく、ひだ付けされ又は曲げられる。それにもかかわらず、巻きばね３０の第１ばね端をアダプタ２５２に固定する任意の十分な締結方法を使用することができる。
【００７６】
図３６及び３７に示される例示的な実施形態では、保持器２５０は、湾曲スロット２８４を有する。これは、形状及びサイズが、アダプタ２５２の湾曲部分２６２に対応する。湾曲スロット２８４は、保持器の長さ方向に延びてアダプタ２５２の、保持器２５０の長さ沿いに無制限の位置決めを許容する。
【００７７】
巻きばね３０の第１ばね端を保持器２５０に留めるべく、アダプタ２５２の湾曲部分２６２が、保持器２５０の湾曲スロット２８４の中に置かれる。湾曲スロット２８４は、アダプタ２５２及び巻きばね３０の第１ばね端を保持器２５０に留めて、陳列システムの迅速かつ容易な組み付けをもたらす。壁２５４は、保持器２５０とアダプタ２５２との接続に追加の安定性を与える。しかしながら、アダプタ２５２及び／又は巻きばね３０の第１ばね端を保持器２５０に留める他の方法も使用することができる。
【００７８】
代替的に、図３３及び４４に描かれるように、押出器パドル２８７の巻きばね３０は、トレイ３０６の前に直接据え付けることができる。巻きばね３０の第１ばね端２９０には湾曲部分が設けられる。湾曲部分は、押出器床面２８８から下方に湾曲し、かつ、凹部３１６（図３３に示される）に受容されるように適合される。凹部３１６は、供給トレイ３０６の前表面のリップ３１８と保持器２５０とによって画定される。鉛直方向に配向された保持器２５０の表面とリップ３１８とが離間される結果、鉛直方向に配向された当該表面とリップ２５０の前縁との間にギャップが形成される。巻きばね３０及び押出器機構２８６を組付体に留めるべく、第１ばね端２９０が、鉛直方向に配向された保持器２５０の表面とリップ３１８の前縁との間に形成されたギャップの中に挿入され、かつ、供給トレイ３０６のリップ３１８と保持器２５０とにより形成された凹部３１６の中に置かれる。
【００７９】
図３８、３９、４８及び４９に描かれる他の例示的な実施形態では、巻きばね３０は、仕切り器２６６に直接据え付けられる。加えて、この例示的な実施形態では、巻きばね３０は、押出器床面２８８に対して垂直に据え付けることができる。その結果、巻きばね３０が巻かれる軸が押出器床面２８８に対して垂直となる。この配向は、押出器パドルが後ろにひっくり返ることが防止されるという利点を有する。第１ばね端２９０には、角度付き部分２９２及び先端具部分２９６を設けることができる。一つの例示的な実施形態では、角度付き部分２９２は、巻きばね本体２９４に対して垂直に曲げることができる。仕切り器にはスロット２９８を設けることができる。スロット２９８は、第１ばね端２９０の先端具部分２９６を受容するべく適合される。
【００８０】
巻きばねを仕切り器に留めるべく、先端具部分２９６がスロット２９８の中に挿入される。ひとたび先端具部分２９６がスロット２９８の中に完全に挿入されると、角度付き部分２９２がスロット２９８と係合するので、第１ばね端２９０が仕切り器２６６に留められる。
【００８１】
図３３に描かれるように、様々な押出器機構の設計を実装することができる。押出器パドル２８７は、対応する形状の製品を収容するべく平坦に形成することができる。代替的に、押出器パドル２８６は、湾曲した第１端及び平坦な第２端を有し得る。これは、様々な異なるサイズの直径を有する様々な円筒状製品を収容し、かつ、押出器機構２８６の動作を促進するべく作用する。動作中、押出器機構２８６内の製品と湾曲した第１端とが一緒になって押出器機構を仕切り器２６６に対して押し付ける。その結果、巻きばね３０が、張力が作用し又は動作している間、第１ばね端２９０を保持する仕切り器２６６に対して平坦なままとなる。これにより、押出器機構の滑らかな動作が可能となり、かつ、使用者が製品をシステムから取り外すときに製品が適切に供給されることが保証される。
【００８２】
図４０〜４１Ｄに描かれる他の例示的な実施形態では、仕切り器２６６は、異なるサイズの容器を収容するべく調整することができる。仕切り器２６６には、接続部分２７２を設けることができる。接続部分２７２には、第１の細長い角度付き表面２６８及び第２の細長い角度付き表面２７０を設けることができる。加えて、接続部分２７２には、複数の凸部２７４も設けることができる。図４１Ｂに描かれるように、レールは、フェース表面２８０及びフランク表面２８２を有する歯２７８から形成される。
【００８３】
組み付けられると、図４１Ｃに描かれるように、接続部分２７２がレールの歯２７８同士の間に受容される。加えて、細長い角度付き表面２６８及び２７０並びに凸部２７４が、歯２７８同士の間に割り込む。図４１Ｃにも示されるように、細長い角度付き表面２６８及び２７０はフェース表面２８０に係合し、かつ、凸部２７４は歯２７８の下方の表面に係合する。フランク表面２８２が接続部分２７２に接触する。
【００８４】
図４２に描かれる例示的な実施形態では、トレイ３０６には、鳩尾接続が設けられる。トレイ３０６の第１側３０８には舌部３１２が設けられる。舌部３１２は、トレイ３０６の第２側３１０に配置された溝３１４内に嵌まるべく適合される。トレイを接続するべく、溝３１４が舌部３１２と整列される。その結果、舌部３１２が溝３１４内にしっかりと留められる。
【００８５】
図４３に描かれる例示的な実施形態では、トレイ３０６は、前端が保持器２５０を受容するべく構成される。保持器には、矩形孔３００を設けることができる。保持器には、それに対応する形状及びサイズの凸部３０２が設けられる。保持器２５０をトレイ３０６に留めるべく、凸部３０２が孔３００の中に嵌められる。その結果、保持器がトレイ３０６上の所定位置にロックされる。
【００８６】
図４５〜４７に描かれるように、製品管理陳列システムが組み付けられた後、製品が当該システムの中に装填される。仕切り器２６６を調整することにより、広範な種類の製品サイズ及び形状をシステムに装填することができる。図４６及び４７に示されるように、巻きばね３０が押出器パドル２８７と協働して製品を保持器２５０に向けて押し出す。使用者が製品をシステムから取り外すと、押出器パドル２８７が残りの製品を押し出す。その結果、製品が床面２６４に沿って保持器２５０へと滑る。これにより、すべての製品が、確実に陳列システムの前に残る。
【００８７】
図５０〜５２に描かれるように、製品管理陳列システム４００は、トレイ４０２、４０４が互いの頂部に積み上げられ得るように配列することができる。この実施形態は一般に、第１トレイ４０２、第２トレイ４０４、第１スペーサ４０６及び第２スペーサ４０８からなり得る。
【００８８】
トレイ４０２、４０４はそれぞれ、供給対象製品を収容するべく配列される。第１トレイ４０２及び第２トレイ４０４にはそれぞれ、透明な保持器４１０、押出器機構４１２、第１及び第２案内壁、並びに巻きばね４１４を設けることができる。
【００８９】
押出器機構４１４は、上述の実施形態と同様に配列することができるので、製品が取り外される間、製品をトレイ４０２、４０４の表面に沿って滑らせる。加えて、上述の押出器機構の代替配列のいずれも、積み上げ可能なトレイ配列で実装することができる。
【００９０】
容易な組み付け及び分解をもたらすべく、積み上げ可能な製品管理陳列システムには、鳩尾接続、又はスナップ嵌め接続、ねじ山接続若しくはリベット接続のような他の任意の適切な接続を設けることができる。第１及び第２トレイには、第１及び第２スペーサ４０６、４０８を第１及び第２トレイ４０２、４０４に組み付けるべく、つめ４１６が設けられる。第１及び第２トレイ４０２、４０４のそれぞれには、各外側表面にソケット４１８を設けることができる。ソケット４１８は、第１及び第２スペーサ４０６、４０８に配置された対応する形状のつめ４１６を受容する。
【００９１】
積み上げ可能製品管理陳列システムを組み付けるべく、第１及び第２スペーサ４０６、４０８に配置されたつめ４１６が、第１及び第２トレイ４０２、４０４の外側表面にある対応する形状のソケット４１８の中にロック配列で置かれる。これにより、上述のいずれかの実施形態と協働して実装することができる積み上げ可能配列がもたらされる。
【００９２】
図５３〜５７に描かれる他の例示的な実施形態では、押出器パドル５００は、棚５０８に直接据え付けられ、かつ、巻きばね５０４の端によって棚に保持される。押出器パドル５００は、棚の表面の頂部に沿ってその上を滑る。Ｔ字形状構成を画定する一以上の仕切り器５０２が、押出器パドル５００と隣り合うように位置決めされる。代替的側面では、仕切り器５０２の基部が、当該基部が押出器パドル５００の直下に配置されるように棚上に位置決めされる。この構成によれば、押出器パドル５００が仕切り器の基部に沿って滑る。仕切り器５０２がパドル５００から十分に離れて位置決めされる場合、パドル５００は、棚５０８の表面上を直接滑る。仕切り器５０２は、ここに記載の構成を含む多数の構成を画定し、かつ、押しピン、リベット、締め具、接着剤等を含む任意の周知な手法によって棚に留めることができる。
【００９３】
一側面では、巻きばね５０４の端５１０は、棚５０８上に配置された孔又は穴５０６内に位置決めされる。端５１０は、ばね先端具を画定する。ばね先端具はさらに、任意の適切な構成を画定する。当該構成により、ばね端は孔５０６の中を通り、かつ、当該孔に留められたままとなる。例えば、端５１０のばね先端具は、端５１０が孔５０６の縁に巻き付くことができるフック形状の構成を画定する。代替的に、ばね先端具は、孔５０６の縁に引っ掛かる一以上の掛け具を画定する。さらに他のばね先端具構成も可能である。
【００９４】
図５４に示されるように、さらにばね５０４を棚５０８に留めるべく、締め具５１２、ピン、リベット等を使用することができる。この締め具５１２は、ばねに対する第２の離間したアンカー留め箇所を与える。そのアンカー留め箇所は、パドル５００が棚５０８上を行ったり来たりするときのばね５０４の全動作中、当該ばねを所望の整列状態に保持する。わかることだが、棚のタイプ及び数並びに当該棚上の既存の孔の間隔に応じてさらに多くのアンカー留め箇所も可能となる。
【００９５】
図５５〜５７を参照すると、パドル５００のばね５０４を棚に据え付ける例示的な据え付け手法が描かれる。図５５に示されるように、ばね５０４の端５１０が、棚の孔５０６の中に挿入される。端５１０は、上述のように、端５１０を孔５０６の縁に保持するばね先端具を画定する。図５６に示されるように、この実施形態ではリベット又はスタッド５１４を含むばね５０４が棚まで下ろされる。その結果、リベット又はスタッド５１４が棚に配置された他の孔５０６内に嵌まる。このリベット又はスタッドは、ばねのための他のアンカー留め箇所を与える。図５６及び５７に示されるように、ばね５０４は、さらに他のリベット又はスタッド５１８を受容する穴５１６を画定する。これにより、ばね５０４が棚にさらに留められる。これらの多重アンカー留め箇所により、ばね５０４は棚に留められ、ひいてはパドルが当該棚に留められる。さらに、これらの多重アンカー留め箇所により、パドルが棚上を行ったり来たりするときのばねの全動作中、当該ばねが所望の整列状態を保持する。理解すべきことだが、ここに記載される任意の手法又はここに記載される手法の任意の組み合わせを含むばね５０４の端を棚に留める他のアンカー留め手法も可能である。わかることだが、棚が、ばね５０４をアンカー留めするべく使用され得る予め存在する孔を有しない場合、一以上の孔を棚の所望の位置にあけることができる。
【００９６】
わかることだが、図５３〜５７に描かれる実施形態によれば、無軌道押出器パドルを、既存の店舗棚に改造目的で、極めて最小限の労力又は追加据え付け片によって直接取り付けることもできる。加えて、この実施形態は、押出器パドルを棚の任意の位置に再位置決めできるように容易に取り外し可能である。これにより、任意のサイズ及びタイプの製品が、棚上で販売促進される。さらに当業者にわかることだが、ここに記載される任意の押出器パドルは、ここに記載される手法によって又はここに記載される手法の任意の組み合わせによって棚に直接据え付けることができる。
【００９７】
代替実施形態では、図５８に描かれるように、陳列管理システムは、一以上の押出器５２０、一以上の仕切り器５５０及び前レール５８０からなる。仕切り器５５０及び前レール５８０は棚に着座することができる。押出器５２０は、図５９に例示されるように、押出器フェース５２２及び押出器床面５２４を含み得る。押出器フェース５２２は、調整不可能部分５２６と押出器拡張器５２８とに分割され得る。調整不可能部分５２６及び押出器拡張器５２８の双方が、棚上の製品に接触するべく使用される表面を画定する。調整不可能部分５２６及び押出器拡張器５２８は双方とも同様の高さ及び深さを画定する。押出器拡張器５２８は、図５９に示されるように、調整不可能部分５２６と面一の及びそれに隣接した位置から調整することができる。押出器拡張器５２８は、図６０にあるように、押出器床面５２４に向かって下方に配向することができる。押出器拡張器５２８は、図６０に示されるように、様々な位置に調整することができる。これは、押出器床面５２４に平行な位置、押出器床面５２４から離れて上方に配向される位置、及び押出器床面５２４へ向かって下方に配向される位置を含む。このようにして、押出器５２０の幅又は高さは、幅が広く又は背が高い製品に対して有効に拡張することができる。
【００９８】
押出器拡張器５２８は、押出器５２０の上方部分にある軸まわりに回転することができる。ノッチ付きホイール５３２（図７７参照）が、押出器拡張器５２８の後ろに配置することができる。押出器拡張器５２８は、ノッチ付きホイール５３２のノッチ内に嵌まり込む突出部（例えば図７７の突出部５３０を参照）を含む。押出器拡張器５２８が軸まわりに回転すると、歯止め・ラチェット機構と同様に、ノッチ付きホイール５３２のノッチ内の様々な空間の中に突出部が入り込む。各ノッチが、押出器拡張器５２８にとっての別個の位置を代表する。別個の各位置では、押出器拡張器５２８を静止したままとすることができる。その結果、押出器拡張器５２８を異なる位置へ動かすには力が必要となる。この実施形態の例示的な側面では、押出器拡張器は、調整不可能部分５２６に隣接する第１位置から、当該第１位置に対して近似的に１８０度の範囲内に位置する多数の第２位置の一つまで回転することができる。調整の度合いは、ノッチ付きホイールのノッチの数、サイズ及び間隔に応じて変わる。押出器拡張器は、押出器拡張器の壁を抜ける軽量化穴を画定する。これにより、押出器拡張器の重量が低減され、かつ、押出器拡張器の軸まわりに生じるモーメントが低減される。押出器拡張器は、滑らかな又はざらざらな押出器フェースを画定する。
【００９９】
図５９に戻ると、巻きばね５３４のような付勢要素を、押出器５２０の後ろ部分に維持することができる。一実施形態では、巻きばね５３４は、押出器フェース５２２の調整不可能部分５２６に隣接して位置決めすることができる。巻きばね５３４は、図５９に示されるように、押出器床面５２４にわたって延び得る。一実施形態では、押出器床面５２４は、巻きばね５３４が着座する通路５３６を含む。通路５３６により、製品を押出器床面５２４上に、ばねとの接触を限られたままにして着座することができる。この実施形態では、製品の重量が押出器床面５２４上にかかる。押出器床面５２４はまた、通路なしの表面を含むこともできる。
【０１００】
一例では、図５９に例示されるように、仕切り器５５０は、仕切り器壁５５２、床面５５４及び障壁５５６からなり得る。一例では、仕切り器５５０は障壁を含まない。一例では、仕切り器５５０は床面を含まない。仕切り器壁５５２は、仕切り器床面５５４を２つの部分５５９及び５５１（図７８参照）に仕切って仕切り器壁５５２の各側に一つの部分がくるようにすることができる。仕切り器壁５５２はまた、当該仕切り器壁５５２の一側のみに仕切り器床面５５４を有し得る。図７７に例示されるように、仕切り器壁５５２は、仕切り器床面５５４から垂直に延び得る。仕切り器床面５５４は平面状表面であり得る。一実施形態では、仕切り器床面５５４は、仕切り器床面５５４の一部分内に通路を含み得る。巻きばね５３４は、仕切り器床面５５４にわたって延び得る。一実施形態では、巻きばね５３４は、仕切り器床面５５４の通路内において当該仕切り器床面５５４にわたって延び得る。この実施形態では、製品は、巻きばね５３４上に載せられない代わりに、仕切り器床面５５４の、当該仕切り器床面５５４における通路に隣接する部分上に載せられる。他の実施形態では、仕切り器床面５５４は通路を含まない。一例では、単数の押出器５２０を仕切り器床面５５４の一部分に配置し、かつ、第２押出器（図８４Ｆ参照）を当該仕切り器床面５５４の第２部分に配置することができる。すなわち、一つの仕切り器５５０が、２つの押出器５２０を、仕切り器壁５５２の各側に一つとなるように包含することができる。
【０１０１】
障壁５５６は、押出器５２０及びそれに包含される付勢要素によって押し出されつつある製品を抑止するべく構成される。障壁５５６は、図５９に示されるように、仕切り器壁５５２の前に配置することができる。障壁５５６はまた、棚上の製品の在庫過剰を防止するべく仕切り器壁の後ろに配置することもできる。図５９及び７７に示されるように、仕切り器壁５５２は障壁５５６を２つの部分に仕切ることができる。障壁５５６は、仕切り器壁５５２の前端に対して垂直とすることができる。一実施形態では、障壁５５６、仕切り器壁５５２及び仕切り器床面５５４は単数に統合された装置である。これらの３つの要素は互い同士で一体とすることもできる。一例では、障壁は、仕切り器から分離される。一例では、障壁は、仕切り器と一体に又は統合されない。他の例では、障壁は、仕切り器に係合するように構成される。一例では、仕切り器壁及び仕切り器床面は、互いに別個の装置であって、互いに一体又は単数の統合された装置の一部ではない。一例では、仕切り器壁及び仕切り器床面は互いに係合し合うべく構成される。さらなる例では、障壁は、前レール５８０に接続され又は前レール５８０の一部分を含むことができる。
【０１０２】
図６１に例示されるように、巻きばね５３４の端５５７は、障壁５５６内に位置決めすることができる。ばねの端５５７は、当該ばねの残りの部分と一定の角度をなして折り曲げることができる。この角度は、９０度、又は９０度よりも小さいか又は大きな他の任意の角度でよい。この場合、巻きばねの端５５７は、障壁５５６内のスロット５５８の中に置かれる。スロット５５８において一度、ばね５５７の端は、所定位置のままにあって押出器５２０を障壁５５６に向ける付勢を補助する。巻きばね５３４の端５５７は、複数の部分を含み得る。当該複数の部分のそれぞれ、巻きばねの端の後続部分を巻きばねの先行部分に対して一定角度に置く屈曲を有する（図示せず）。複数の屈曲は、障壁５５６の複数のスロット若しくは穴又は仕切り器５５０又は前レール５８０上の他の接続箇所に係合し得る。複数のスロット又は穴は、複数の巻きばね５３４の端５５７にある複数の屈曲の形状に一致し得る。巻きばね５３４は一端に掛け具（図示せず）を含み得る。巻きばね５３４の掛け具は、例えば巻きばね５３４が延びた場合に、巻きばね５３４が押出器５２０から係合解除されないように構成することができる。
【０１０３】
押出器５２０は、巻きばね５３４のみによって仕切り器５５０に接続されることがある。押出器５２０は、仕切り器床面５５４の頂部に着座し、かつ、仕切り器床面にわたって滑り得る。押出器５２０は、図５９に示されるように、仕切り器床面５５４の完全に上方に存在するように、かつ、仕切り器床面５５４の下方に進まないように構成することができる。この実施形態では、押出器５２０は、図６２に示されるように、仕切り器床面５５４から取り上げることができる。重力と押出器床面５２４上に着座する製品の重量とにより、押出器５２０は仕切り器床面５５４上に維持される。巻きばね５３４上に着座する製品によっても、押出器５２０が仕切り器床面５５４上に維持される。押出器と仕切り器との統合接続部のみが、障壁５５６のスロット５５８内に維持される巻きばね５５７の端となり得る。仕切り器壁５５２は、押出器５２０が前から後ろ及びその逆に動くときに、仕切り器床面５５４上で押出器５２０を案内するべく使用することができる。
【０１０４】
仕切り器５５０は、仕切り器の下側部分に溝５６０又は他の凹部を画定し得る。この溝５６０又は他の凹部は、図６１に示されるように、逆「Ｕ」字形状となるか又は他の形状をとり得る。溝５６０又は他の凹部は、仕切り器５５０の下側部分の全幅にわたって延び得る。一例の溝５６０又は凹部は、仕切り器の下側部分の幅の一部分のみに沿って延び得る。溝５６０又は他の凹部は、前レール、トレイの前壁、又は他の構造物に係合するべく使用することができる。ここで使用される用語「凹部」は、溝、スロット、通路、刻み目、くぼみ、又は内方に向かって延びる他の凹部を意味し得る。
【０１０５】
仕切り器５５０はまた、複数の歯５６２又は他の凸部を画定し得る。歯５６２又は他の凸部は、障壁５５６の前部分に配置することができる。図６３の例示的な実施形態に示されるように、歯５６２は、外方に延びて頂点で交わるか又は接合する一連の角度付き表面を画定する。ここで使用されるように、用語「歯」は、任意の均一、不均一、連続、不連続、均等間隔、又は不均等間隔の外方に延びる表面であって、角度付き又はそうでなくかつ頂点で交わり若しくは接合し又はそうでない表面を意味する。加えて、歯は、先端が尖った、鈍い、丸まった、平坦な、若しくは多角形の端、又は他の任意の適切な形状を画定する。また、歯の形状を画定する表面は、平坦面、凸面、凹面、滑らかな面、若しくはざらざら面、又は他の任意の適切な構成である。一実施形態では、歯５６２は、障壁５５６の前部分からの延長に置かれる。仕切り器５５０はまた、弾性舌部又はタブ５６４を画定し得る。歯５６２又は他の凸部は、弾性タブ５６４に配置することができる。弾性タブ５６４に力が適用されると、歯５６２又は他の凸部は当該力の方向に動き得る。力が取り除かれると、歯又は他の凸部はその元の位置まで戻る。ここに使用される用語「凸部」は、突出部、弾性タブ、舌部、こぶ、単数若しくは複数の歯、隆起部、ノブ、又は外方に延びる他の凸部を意味し得る。複数の歯は、外方に延びる複数の凸部を含み、かつ、当該外方に延びる複数の歯の部分同士の間を内方に延びる複数の凹部を含み得る。
【０１０６】
前レール５８０は、平面状表面５８２、隆起部若しくは舌部５８４又は他の凸部若しくは係合部材、通路若しくは溝５８６又は他の凹部若しくは係合部材、及び複数の歯５８８又は他の係合部材を画定し得る。前レール５８０の隆起部若しくは舌部５８４又は他の凸部若しくは係合部材は、仕切り器の溝５６０又は他の凹部若しくは係合部材に係合するべく構成することができる。隆起部５８４若しくは他の凸部又は他の係合部材は、溝５６０若しくは他の凹部又は係合部材内に嵌まることで、仕切り器５５０が、隆起部５８４又は前レール５８０に垂直な方向に又は隆起部５８４又は前レール５８０に対して一定角度の（すなわち垂直を外れた）方向に動くことを禁止することができる。前レール５８０の歯５８８又は他の係合部材は、離間し得る。前レールの歯５８８又は他の係合部材は、仕切り器５５０の歯５６２又は他の係合部材に係合し得る。その歯５６２は、図６３に例示されており、仕切り器が前レール５８０に対して平行な横方向に動かないようにする。前レール５８０の歯５８８又は他の係合部材は、仕切り器５５０の歯５６２又は他の係合部材に係合されて仕切り器５５０が図６５の矢印「Ａ」によって示される横方向に動かないようにする。ここで使用される用語「係合部材」は、他の構造的特徴と係合し得る凸部、凹部、平面状表面、ほぼ平面状表面、又は他の構造的特徴を意味し得る。前レールは、棚に取り付けられるか又は結合される別個の構造物である。代替的に、前レールは、前壁、後壁及び対向側壁の一以上を画定するトレイの一部である。この構成では、ここに記載される前レールは、トレイの前壁又は後壁の一部として形成され、依然として本発明の目的を達成し得る。すなわち、前レールは、トレイ壁の一部として形成され（又はトレイ壁に取り付けられ）、並びに、ここに記載の様々な手法のいずれかによって仕切り器及び押出器機構を受容かつ係合する。前レールはまた、棚の絶対的な前に配置する必要がない。前レールは、棚の前近くに又は棚の前から一定距離戻った位置に配置することができる。一例では、前レールは、棚の後ろに又はその近くに、販売促進陳列システムの前から離れて配置することができる。一例では棚の前は、レールを含まなくてもよい。
【０１０７】
仕切り器５５０の弾性タブ５６４が押圧されると、すなわち当該弾性タブに対して前レール５８０の歯５８８から離れる方向に力が加えられると、当該仕切り器の歯５６２は、前レールの歯５８８との係合が解除され得る。前レールの歯５８８及び仕切り器５５０の弾性タブ５６４上の歯５６２が係合解除されると、仕切り器５５０は、前レール５８０の歯５８８に対して横方向に（すなわち図６５に矢印「Ａ」で示される方向に）動かすことができる。この弾性タブ５６４の使用により、販売促進システム１０に包含される製品を、再度棚割りすることができる。仕切り器５５０が横方向に動かされる場合、仕切り器は回転する必要がない。その代わりに、仕切り器５５０は、前レール５８０の平面状表面５８２と平行な平面内に維持される。加えて、仕切り器５５０は持ち上げられる必要もない。仕切り器５５０は、図６５において矢印「Ａ」が付された方向に動くだけでよい。
【０１０８】
一例では、販売促進陳列システムは、前レール５８０と、前レール５８０に係合するべく構成された少なくとも一つの仕切り器５５０とを含む。少なくとも一つの仕切り器５５０は障壁５５６を含み、当該少なくとも一つの仕切り器５５０はさらに仕切り器壁５５２を含む。少なくとも一つの仕切り器はまた、仕切り器壁５５２に対して垂直な仕切り器床面５５４も含む。仕切り器床面５５４は、製品を保持するべく構成される。販売促進陳列システムはまた、仕切り器５５０に結合されるカム７２０を含む。カム７２０は、第１位置と第２位置との間で動くことができる。少なくとも一つの仕切り器５５０は、少なくとも一つの仕切り器５５０が前レール５８０に係合されかつカム７２０が第１位置にある場合、（ａ）前レール５８０に平行な横方向に可動であり、かつ、（ｂ）前レール５８０に垂直な方向に留められる。少なくとも一つの仕切り器５５０は、少なくとも一つの仕切り器５５０が前レール５８０に係合されかつカム７２０が第２位置にある場合、（ａ）前レール５８０に平行な横方向に固定され、かつ、（ｂ）前レール５８０に垂直な方向に留められる。
【０１０９】
一例では、カム７２０は、当該カム７２０を第１位置と第２位置との間で回転させるハンドルを含む。他の例では、カム７２０は、当該カム７２０を第１位置と第２位置との間で滑らせるハンドルを含み得る（図示せず）。カム７２０はまた、一以上のカム壁も含み得る。これは、カム７２０が第２位置にある場合に前レール５８０の一以上の溝壁に係合するべく構成される。カム７２０はまた、複数のカム歯も含み得る。これは、カム７２０が第２位置にある場合に前レール５８０の表面上の複数の前レール歯に係合するべく構成される。前レール歯は、前レール５８０の内側表面上に存在し得る。販売促進陳列システムはまた、押出器機構も含み得る。これは、押出器表面、当該押出器表面から前方に延びる押出器床面、並びに巻き端及び自由端を有する巻きばねを備える。ばねの巻き端は押出器表面の後ろに位置決めされ、かつ、押出器機構は当該巻きばねのみによって販売促進陳列システムに取り付けることができる。障壁は、巻きばねの自由端を受容するべく構成され得る。前レールは前レール溝を画定し、かつ、仕切り器は、前レール溝に係合するべく構成された仕切り器隆起部を画定する。
【０１１０】
一例では、販売促進陳列システムは、前レール５８０と、前レール５８０に取り付けられて製品を複数の列に分割するべく構成された複数の仕切り器５５０とを含む。複数の仕切り器５５０はそれぞれ、前レール５８０に垂直な方向に延びる仕切り器壁５５２と、仕切り器壁５５２に垂直な仕切り器床面５５４であって製品を保持するべく構成された仕切り器床面５５４と、仕切り器５５０に結合されたカム７２０であって第１位置と第２位置との間で動くように構成されたカム７２０とを含む。複数の仕切り器５５０はそれぞれ、複数の仕切り器５５０それぞれが前レール５８０に係合しかつ複数の仕切り器５５０それぞれのためのカム７２０が第１位置にある場合、（ａ）前レール５８０に平行な横方向に可動であり、かつ、（ｂ）前レール５８０に垂直な方向に留められる。加えて、複数の仕切り器５５０はそれぞれ、複数の仕切り器５５０それぞれが前レール５８０に係合しかつ複数の仕切り器５５０それぞれのためのカム７２０が第２位置にある場合、（ａ）前レール５８０に平行な横方向に固定され、かつ、（ｂ）前レール５８０に垂直な方向に留められる。
【０１１１】
一例では、複数の仕切り器５５０はそれぞれ、製品が仕切り器床面５５４上に位置決めされた場合、前レール５８０に平行な横方向に動くように構成される。複数の仕切り器５５０の最も外側にある仕切り器への力により、複数の仕切り器５５０はそれぞれ、当該複数の仕切り器５５０のそれぞれのためのカム７２０が第１位置にある場合、前レール５８０に平行な横方向に動く。ここで、当該力は、前レール５８０に平行であって、最も外側の仕切り器の仕切り器壁５５２に垂直である。
【０１１２】
一例では、販売促進陳列システムは、前レール５８０と、前レール５８０に取り付けられるべく構成された少なくとも一つの仕切り器５５０とを含む。少なくとも一つの仕切り器５５０は、障壁と、前レールに垂直な方向に延びる仕切り器壁５５２と、仕切り器壁５５２に垂直な仕切り器床面５５４とを含む。ここで、仕切り器壁５５２は、仕切り器床面５５４を第１部分及び第２部分に分離し、その第１部分及び第２部分それぞれが製品を保持するべく構成される。販売促進陳列システムはまた、第１部分の少なくとも一部に沿って滑るべく構成された第１押出器機構と、第２部分の少なくとも一部に沿って滑るべく構成された第２押出器機構と、少なくとも一つの仕切り器５５０に結合されたカム７２０であって第１位置と第２位置との間で動くように構成されたカム７２０とを含む。少なくとも一つの仕切り器５５０は、カム７２０が第１位置にある場合、前レール５８０に平行な横方向にかつそれに沿って可動である。少なくとも一つの仕切り器５５０は、当該カムが第２位置にある場合、前レール５８０に平行な横方向のかつそれに沿っての動きに抵抗する。
【０１１３】
一例では、販売促進陳列システムの第１及び第２押出器機構はそれぞれ、押出器表面と、当該押出器表面から前方に延びる押出器床面と、巻き端及び自由端を有する巻きばねとを含む。ここで、当該巻き端は、押出器表面の後ろに位置決めされる。第１及び第２押出器機構は、巻きばねのみによって販売促進陳列システムに取り付けられる。少なくとも一つの仕切り器は仕切り器係合部材を画定し、及び少なくとも一つの前レールは前レール係合部材を画定し、並びに当該仕切り器係合部材は、当該前レール係合部材に係合するべく構成することができる。仕切り器係合部材は仕切り器係合部材の少なくとも一つの表面上に仕切り器歯を画定し、及び前レール係合部材は前レール係合部材の少なくとも一つの表面上に前レール歯を画定することができる。仕切り器歯は、前レール歯に係合するべく構成することができる。
【０１１４】
一例では、販売促進陳列システムは、前レール５８０と、前レール５８０に取り付けられるべく構成された少なくとも一つの仕切り器５５０とを含む。少なくとも一つの仕切り器５５０は、前レール５８０に係合するべく構成された障壁と、前レール５８０に垂直な方向に延びる仕切り器壁５５２と、当該仕切り器壁５５２に垂直な仕切り器床面５５４であって製品を保持するべく構成された仕切り器床面５５４とを含む。陳列システムはまた、仕切り器５５０に結合された弾性タブであって第１位置と第２位置との間で動くように構成された弾性タブも含む。少なくとも一つの仕切り器５５０は、弾性タブが第１位置にある場合、前レール５８０に平行な横方向に固定される。少なくとも一つの仕切り器５５０は、弾性タブが第２位置にある場合、前レール５８０に平行な横方向に可動である。
【０１１５】
一例では、仕切り器５５０は、前レール５８０に係合するべく構成された複数の歯を含む。仕切り器歯は、前レール５８０上の対応する歯に係合するべく構成することができる。販売促進陳列システムの仕切り器歯は、前レール５８０の弾性表面に係合するべく構成することができる。
【０１１６】
一例では、販売促進陳列システムは、少なくとも一つの第１凸部及び少なくとも一つの第１凹部を備える前レール５８０と、前レール５８０に取り付けられるべく構成された少なくとも一つの仕切り器５５０とを含む。少なくとも一つの仕切り器５５０は、仕切り器壁５５２及び当該仕切り器壁５５２に垂直な仕切り器床面５５４を備える。少なくとも一つの仕切り器５５０はさらに、少なくとも一つの第２凹部及び少なくとも一つの第２凸部を備える。仕切り器５５０の少なくとも一つの第２凸部は、第１位置と第２位置との間を動くように構成される。少なくとも一つの仕切り器５５０は、前レール５８０の少なくとも一つの第１凸部が仕切り器５５０の少なくとも一つの第２凹部に係合されかつ仕切り器５５０の少なくとも一つの第２凸部が第１位置にある場合、（ａ）前レール５８０に平行な横方向に可動であり、かつ、（ｂ）前レール５８０に垂直な方向に留められる。少なくとも一つの仕切り器５５０は、当該前レールの少なくとも一つの第１凸部が仕切り器５５０の少なくとも一つの第２凹部に係合しかつ仕切り器５５０の少なくとも一つの第２凸部が第２位置にある場合、（ａ）前レール５８０に平行な横方向の動きに抵抗し、かつ、（ｂ）前レール５８０に垂直な方向に留められる。
【０１１７】
一例では、仕切り器５５０の少なくとも一つの第２凸部はカム７２０を含み得る。前レール５８０の少なくとも一つの第１凹部は溝を含み得る。仕切り器５５０の少なくとも一つの第２凸部は弾性タブを含み得る。前レール５８０の少なくとも一つの第１凸部は舌部を含み得る。前レール５８０の少なくとも一つの第１凸部は複数の歯を含み得る。仕切り器５５０の少なくとも一つの第２凸部は舌部を含み得る。仕切り器５５０の少なくとも一つの第２凸部は複数の歯を含み得る。販売促進陳列システムはまた、前レール５８０の少なくとも一つの第１凸部上の複数の歯と、仕切り器５５０の少なくとも一つの第２凹部上の複数の歯とを含み得る。
【０１１８】
一例では、販売促進陳列システムは前レール５８０を含む。前レール５８０は、少なくとも一つの第１凸部及び少なくとも一つの第２凸部を含む。前レール５８０の少なくとも一つの第２凸部は、第１位置と第２位置との間を動くように構成される。販売促進陳列システムはまた、前レール５８０に取り付けられるべく構成された少なくとも一つの仕切り器５５０を含む。少なくとも一つの仕切り器５５０は、仕切り器壁５５２と、当該仕切り器壁５５２に垂直な仕切り器床面５５４とを含む。少なくとも一つの仕切り器５５０はさらに、少なくとも一つの凹部を含む。少なくとも一つの仕切り器５５０は、前レール５８０の少なくとも一つの第１凸部が仕切り器５５０の少なくとも一つの凹部に係合されかつ前レール５８０の少なくとも一つの第２凸部が第１位置にある場合、（ａ）前レール５８０に平行な横方向に可動であり、かつ、（ｂ）前レール５８０に垂直な方向に留められる。少なくとも一つの仕切り器５５０は、前レール５８０の少なくとも一つの第１凸部が仕切り器５５０の少なくとも一つの凹部に係合されかつ前レール５８０の少なくとも一つの第２凸部が第２位置にある場合、（ａ）前レール５８０に平行な横方向に固定され、かつ、（ｂ）前レール５８０に垂直な方向に留められる。
【０１１９】
一例では、前レール５８０の少なくとも一つの第１凸部は舌部を含み得る。仕切り器５５０の少なくとも一つの凹部は溝を含み得る。
【０１２０】
一例では、販売促進陳列システムは前レール５８０を含む。前レール５８０は第１凸部及び第２凸部を含む。販売促進陳列システムはまた、前レール５８０に取り付けられるべく構成された少なくとも一つの仕切り器５５０を含む。少なくとも一つの仕切り器５５０は、仕切り器壁５５２と、当該仕切り器壁５５２に垂直な仕切り器床面５５４とを含む。少なくとも一つの仕切り器５５０はさらに、凹部及び第３凸部を含む。第２凸部又は第３凸部の少なくとも一つは、第１位置と第２位置との間を動くことができる可動凸部である。少なくとも一つの仕切り器５５０は、前レール５８０の第１凸部が仕切り器５５０の凹部に係合されかつ可動凸部が第１位置にある場合、（ａ）前レール５８０に平行な横方向に可動であり、かつ、（ｂ）前レール５８０に垂直な方向に留められる。少なくとも一つの仕切り器５５０は、前レール５８０の第１凸部が仕切り器５５０の凹部に係合されかつ可動凸部が第２位置にある場合、（ａ）前レール５８０に平行な横方向に固定され、かつ、（ｂ）前レール５８０に垂直な方向に留められる。
【０１２１】
一例では、販売促進陳列システムの可動凸部はカム７２０又は弾性タブである。前レール５８０の第１凸部は舌部であり、かつ、仕切り器５５０の凹部は溝であり得る。
【０１２２】
一例では、販売促進陳列システムは前レール５８０を含む。前レール５８０は少なくとも第１係合部材を含む。販売促進陳列システムはまた、前レール５８０に取り付けられるべく構成された少なくとも一つの仕切り器５５０を含む。少なくとも一つの仕切り器５５０は、仕切り器壁５５２と、当該仕切り器壁に垂直な仕切り器床面５５４とを含む。少なくとも一つの仕切り器５５０はさらに、少なくとも第２係合部材を含む。販売促進陳列システムはまた、第１位置と第２位置との間で動くように構成された第３係合部材を含む。少なくとも一つの仕切り器５５０は、前レール５８０の第１係合部材が仕切り器５５０の第２係合部材に係合されかつ第３係合部材が第１位置にある場合、（ａ）前レール５８０に平行な横方向に可動であり、かつ、（ｂ）前レール５８０に垂直な方向に留められる。少なくとも一つの仕切り器５５０は、前レール５８０の第１係合部材が仕切り器５５０の第２係合部材に係合されかつ第３係合部材が第２位置にある場合、（ａ）前レールに平行な横方向に固定され、かつ、（ｂ）前レール５８０に垂直な方向に留められる。一例では、前レール５８０の第１係合部材が仕切り器５５０の第２係合部材に係合されかつ第３係合部材が第１位置にある場合、少なくとも一つの仕切り器５５０は、棚（例えば図７０及び７１に示される棚５９６）の平面内を、前レール５８０に平行な横方向にのみ動くことができる。少なくとも一つの仕切り器５５０は、棚の平面内において前レール５８０に平行な方向を除くすべての方向に固定される。少なくとも一つの仕切り器５５０は、棚の平面内においてねじれたり魚尾状に広がることがない。少なくとも一つの仕切り器５５０は前レール５８０に垂直なままである。
【０１２３】
一例では、第３係合部材は、前レール５８０の一部分又は仕切り器５５０の一部分であり得る。一例では、第３係合部材はカム７２０又は係合表面を含み得る。一例では、前レール５８０の第１係合部材は凸部である。販売促進陳列システムはまた、押出器表面５２８を有する押出器機構５２０と、押出器表面５２８から前方に延びる押出器床面５２４と、巻き端及び自由端を有する巻きばね５３４とを含み得る。巻き端は押出器表面５２８の後ろに位置決めされ、かつ、押出器機構５２０は巻きばね５３４にのみよって販売促進陳列システムに取り付けられる。販売促進陳列システムはまた、巻きばね５３４の自由端を受容するべく構成された障壁を含み得る。
【０１２４】
一例では、販売促進陳列システムは、前レール５８０と、前レール５８０に係合するべく構成された少なくとも一つの仕切り器５５０とを含む。少なくとも一つの仕切り器５５０は障壁５５６を含む。少なくとも一つの仕切り器はさらに、仕切り器壁５５４を含む。少なくとも一つの仕切り器はさらに、仕切り器壁５５４に垂直な仕切り器床面５５２であって製品を保持するべく構成された仕切り器床面５５２を含む。販売促進陳列システムはまた、仕切り器５５０に結合されたカム７２０であって第１位置と第２位置との間を動くように構成されたカム７２０を含む。少なくとも一つの仕切り器５５０は、少なくとも一つの仕切り器５５０が前レール５８０に係合された場合、前レール５８０に垂直な方向に留めることができる。カム７２０は、カム７２０が第１位置にある場合、少なくとも一つの仕切り器５５０の、前レール５８０に平行な横方向の動きを禁止することができる。カム７２０は、カム７２０が第２位置にある場合、仕切り器５５０の、前レール５８０に平行な横方向の動きを許容することができる。販売促進陳列システムは、カム７２０を第１位置と第２位置との間で回転させるハンドルを含み得る。販売促進陳列システムは、カム７２０を第１位置と第２位置との間で滑らせるハンドルを含み得る（図示せず）。
【０１２５】
図６７Ａ〜Ｃは、仕切り器を前レールの中に置くためのステップごとのアプローチの一例を示す。まず、図６７Ａに例示されるように、仕切り器５５０が、前レール５８０によって画定された通路５８６の中に下ろされる。仕切り器５５０を通路５８６の中に下ろす力により、図６７Ｂに例示されるように、仕切り器５５０の歯５６２が、前レール５８０の頂部に接触し、仕切り器５５０に向かいかつ前レール５８０から離れる方向に動く。仕切り器５５０の歯５６２は、図６３に示されるように、傾斜付きの歯である。前レール５８０は、図６４に例示されるように、仕切り器５５０の歯５６２に係合する形状の凹部５８９を含む。これらの凹部５８９は、前レール５８０に存在する歯５８８によって区切られる。仕切り器５５０が前レール５８０の通路５８６の中にさらに下ろされると、図６７Ｃに例示されるように、仕切り器５５０の歯５６４が前レール５８０の頂部を通り過ぎて前レール５８０の凹部５８９の中まで動く。仕切り器５５０の歯５６４が前レール５８０の凹部５８９の中に存在する場合、仕切り器５５０は係合位置にあって通常の大きさの力では横方向に動かない。
【０１２６】
一例では、図６８Ａ〜Ｃは、他の実施形態における、仕切り器を前レールに置くためのステップごとのアプローチを示す。最初のステップでは、図６８Ａに例示されるように、弾性舌部又はタブ５６４が手動で後方に押し出されてタブ５６４の歯５６２が仕切り器５５０に向かう後方に動く。シャフト式枢動軸により、弾性舌部又はタブ５６４が、押し出された後ろの位置のままとなり、かつ、歯５６２が仕切り器５５０に向かう位置のままとなる。仕切り器５５０はその後、図６８Ｂに例示されるように、前レール５８０と接触するように置かれる。仕切り器５５０の溝５６０が、前レール５８０の隆起部又は舌部５８４に係合する。この時点で、仕切り器５５０は前レールに沿った横方向に動くことができるので、容易な棚割りが可能となる。しかしながら、仕切り器５５０は、前レール５８０に垂直な（すなわち仕切り器５５０に平行な）方向に留められているので、仕切り器５５０の溝５６０と前レール５８０の隆起部又は舌部５８４との間にある有意でない小さな程度の遊びを除き、この方向に動くことができない。（前レールに垂直な方向は、図８６Ｈにおいて矢印「Ｂ」が付されている。）この有意でない小さな程度の遊びは、システムの使用者に気付かれない程度である。図６８Ｂに例示されるように、仕切り器５５０が前レール５８０と接触しかつ仕切り器５５０の溝５６０が前レール５８０の舌部５８４の隆起部に係合している間、仕切り器５５０は、棚（この棚は図７０及び７１において５９６が付されている）の平面内を、前レール５８０に平行な横方向（すなわち図６５において矢印「Ａ」が付された方向）にのみ動くことができる。仕切り器は、通常の動作力では棚の平面内において、前レール５８０に平行な方向を除くすべての方向に固定されかつ不動となる。仕切り器は、棚の平面内において前レール５８０に平行な方向を除き、ねじれ、広がり、魚尾状のはね上がり、又は他の動きをすることができない。しかしながら、仕切り器５５０は、例えば図８７Ｂにおいて矢印「Ｃ」が付された方向のような、棚の平面外の方向には動くことができる。仕切り器５５０は、仕切り器床面５５４上に製品を有して又は有しないで、図６５における矢印「Ａ」によって前述した方向に、仕切り器５５０を持ち上げる必要なしに滑ることができる。最終ステップでは、図６８Ｃに例示されるように、弾性舌部又はタブ５６４は、仕切り器５５０から離れるように手動で前方に引き込まれる。この動きにより、前仕切り器５５０の歯５６２が、前レール５８０の凹部５８９内に嵌まるようになる。前レール５８０の凹部５８９は、前レールの歯５８８によって区切られる。仕切り器５５０の歯５６２が前レール５８０凹部５８９及び歯５８８に接触している場合、仕切り器５５０は係合されて通常の大きさの力では横方向に動くことができない。
【０１２７】
他の例では、弾性舌部又はタブは、弾性舌部又はタブ５６４を押し出された後ろの位置のままにするシャフト式枢動軸を含まない。その代わり、弾性舌部又はタブ５６４は、前レール５８０に向かいかつ仕切り器５５０から離れるように付勢される。その結果、手動で弾性舌部又はタブ５６４を後方に押し出す力が取り除かれた場合、舌部又はタブ５６４は自動的にその休止位置に戻ることで前レール５８０に係合する。
【０１２８】
一例では、仕切り器５５０は、前レール５８０に接触するように置かれる。前レール５８０の係合部材が仕切り器５５０の係合部材に係合する。これにより、前レール５８０に垂直な方向（図８６Ｈにおいて矢印「Ｂ」が付された方向）に仕切り器が留められ、かつ、仕切り器５５０が、当該係合部材間の有意でない小さな程度の遊び又は空間を除き、前レール５８０に垂直な方向に不動となる。その遊び又は空間は、使用者に気付かれない程度である。仕切り器５５０はまた、棚の平面内において前レール５８０に平行な方向（図６５において矢印「Ａ」が付された方向）を除くすべての方向に留められる。仕切り器５５０は、棚の平面内において前レール５８０に平行な方向にのみ動くことができる。仕切り器５５０は、通常の動作の力及び条件では、棚の平面内において前レール５８０に平行な方向を除く方向に固定される。しかしながら、仕切り器は、例えば図８７Ｂにおいて矢印「Ｃ」が付された方向のような、棚の平面外の方向には動くことができる。仕切り器が前レール５８０に垂直な方向に「留められる」場合、このことは、仕切り器５５０が、通常の動作の力及び条件では、当該係合部材間の有意でない小さな程度の遊び又は空間を除き、前レール５８０に垂直な方向に不動であることを意味する。その遊び又は空間は、使用者に気付かれない程度である。前レールに垂直な方向は、図８６Ｈにおいて矢印「Ｂ」が付されている。前レール５８０の第２係合部材又は仕切り器５５０が第１位置にあると、当該仕切り器は、横方向すなわち前レールに平行に動かされる。第２係合部材がその後、第２位置まで動かされると、仕切り器５５０が、通常の動作の条件及び力では、前レール５８０に平行な横方向（図６５において矢印「Ａ」が付された方向）に固定される。仕切り器５５０が前レール５８０に平行な横方向に「固定される」場合、仕切り器５５０は、通常の動作の条件及び力では、前レール５８０に平行な横方向には動かない。
【０１２９】
一例では、複数の仕切り器５５０は、前レール５８０に平行な一群として動かすことができるが、前レール５８０に対して当該前レールに垂直な方向（図８６Ｈにおいて矢印「Ｂ」が付された方向）に留められたままである。複数の仕切り器５５０のそれぞれを、前レール５８０に接触するように置くことができる。前レール５８０の係合部材又は複数の係合部材が、複数の仕切り器５５０それぞれの係合部材に係合すると、複数の仕切り器５５０のそれぞれは、前レール５８０に垂直な方向（図８６Ｈにおいて矢印「Ｂ」が付された方向）に留められ、かつ、複数の仕切り器５５０それぞれが、当該係合部材間の有意でない小さな程度の遊び又は空間を除き、前レール５８０に垂直な方向に不動となる。その遊び又は空間は、使用者に気付かれない程度である。前レール５８０の第２係合部材（又は複数の第２係合部材）又は仕切り器５５０のそれぞれが第１位置にあると、複数の仕切り器５５０を、横方向すなわち前レール５８０に平行に動かすことができる。複数の仕切り器５５０は、製品を保持するべく構成された仕切り器５５０同士の間に複数の列を形成することができる。製品は、図４５〜４７に示されるように、複数の仕切り器５５０の２つの間に置かれる。前レール５８０に平行な方向の力が第１仕切り器に適用される。この力は、第１仕切り器を前レール５８０に平行な方向に動かし、かつ、仕切り器５５０を第１仕切り器５５０に隣接する製品に接触させることができる。（製品は、図４５〜４７において缶又はカートンとして示され、かつ、他の形状をとることもできる。）仕切り器５５０はその後、第１仕切り器５５０と同じ方向に、すなわち前レール５８０に平行に動くように製品に力を加えることができる。その力は、製品に隣接する第２仕切り器５５０に接触するように当該製品を動かすことができる。製品はその後、第１仕切り器５５０及び製品と同じ方向に、すなわち前レール５８０に平行に動くように第２仕切り器５５０に力を加えることができる。第２仕切り器はその後、前レール５８０に平行な方向に動くように第２仕切り器５５０に隣接する第２製品に力を加えることができる。第２製品は、前レール５８０に平行な方向に動くように第２製品に隣接する第３仕切り器５５０に力を加えることができる。このように、一連の仕切り器５５０及び製品すべてを、仕切り器５５０又は製品の一つのみに作用する前５８０に平行な方向の一回の力で前レール５８０に平行な方向に動かすことができる。前レール５８０上の単数若しくは複数の第２係合部材又は複数の仕切り器５５０の一つが第２位置まで動かされると、仕切り器５５０は、通常の動作の条件及び力では前レール５８０に平行な横方向に固定されることとなり、仕切り器５５０は前レール５８０に平行な方向に動くことができず、かつ、仕切り器５５０は前レール５８０に平行な方向に他の仕切り器５５０又は製品に力を加えて動かすことがない。
【０１３０】
一例では、第２係合部材が第２位置まで動くと、第２係合部材は、仕切り器５５０が前レール５８０に平行な横方向に動くことを禁止する。所定の大きさの力と同じ又はそれ未満の力では、第２係合部材によって仕切り器５５０は、前レール５８０に平行な横方向に動くことができない。所定の大きさを超える大きさの力が前レール５８０に平行な横方向において仕切り器５５０に適用されると、仕切り器５５０は、前レール５８０に平行な横方向に動くことができる。
【０１３１】
一実施形態では、図６６に例示されるように、仕切り器床面５５４の厚さにはばらつきがある。前レールの平面状表面５８２に隣接する仕切り器床面５５４の前部分の厚さは、さらに後ろの、前レールの平面状表面５８２に隣接しない仕切り器床面５５４の後ろ部分の厚さよりも小さい。図６７に示されるように、仕切り器床面５５４Ａの当該部分は、仕切り器床面５５４Ｂの当該部分よりも薄い。一例では、前レール５８０の平面状表面５８２に隣接する仕切り器床面の前部分の厚さは、前レール５８０の平面状表面５８２に隣接しない仕切り器床面５５４の後ろ部分の厚さの少なくとも２５％未満である。
【０１３２】
図６９Ａ及び６９Ｂに例示される実施形態は、前レール５８０のためのレール据え付け留め具５９０を含む。図６９Ｂに例示されるように、前レール５８０は穴５９２を含む。この穴５９２は、図７０に示される小売り環境において、棚５９６の穴５９５上に置かれるように調整することができる。レール据え付け留め具５９０を湾曲させることができる。レール据え付け留め具５９０はまた、レール据え付け留め具５９０の一端に狭い部分５９４を包含する。レール据え付け留め具５９０は、図７１に示される小売り環境において、前レール５８０にある穴５９２の広くかつ丸い部分の中に、かつ、棚５９６の穴５９５の中に挿入することができる。レール据え付け留め具５９０はその後、前レール５８０にある穴５９２の中の狭い部分に対して横方向に変位させることができる。レール据え付け留め具５９０を変位させることにより、レール据え付け留め具５９０の広くかつ丸い部分は、前レールにある穴５９２の狭い部分に係合し、かつ、所定位置にロックされる。これにより、レール据え付け留め具５９０は、前レール５８０を所定位置に保持することで、前レール５８０を横方向に動かないようにする。店舗の棚に孔があることが前もってわかっている場合、レール据え付け留め具５９０は、出荷前に前レール５８０の中に挿入してロックすることができる。出荷前にレール据え付け留め具５９０を挿入することで、店舗環境における販売促進システムの設置容易性が増す。
【０１３３】
少なくとも一つの実施形態では、図７２及び７３に示されるように、仕切り器壁５５２の高さは、障壁５５６の高さよりも高い。図７４はさらに、障壁５５６内に維持される巻きばね５３４の端５５７を示す。ばね５３４の端５５７は、ばね本体５３４の残りの部分に対して近似的に９０度の角度で曲げられる。端５５７は、障壁５５６内に維持されるスロット５５８の中に置かれる。
【０１３４】
一実施形態では、図７２及び７３に例示されるように、仕切り器５５０は歯６００を包含する。これらの歯は、仕切り器５５０と一体的になるように成形することができる。歯６００は、他の実施形態のように弾性タブ又は舌部上に維持されるわけではない。歯６００は互いに離間される。複数の歯６００は、仕切り器５５０の前部分の底部においてかつ障壁５５６の前において、仕切り器５５０上に配置することができる。
【０１３５】
図７５に例示されるように、前レール６１０は複数の歯６１２を含み得る。前レール６１０の歯６１２は、図７６に例示されるように、前レール６１０のカム棒６２２の使用により及びカム作動により、仕切り器５５０の歯６００に解放可能に係合するべく設計することができる。前レール６１０はまた、図７５に例示されるように、実質的に平坦な又は平面状の平面状表面６１４と、平面状表面６１４に実質的に垂直な舌部又は隆起部６１６とを含む。前レール６１０はさらに、図７６Ａ及び７６Ｂに示されるように、前レール６１０内でカム棒６２２を動かすカム棒レバー６１８を含む。図７６Ａでは、カム棒レバー６１８は第１位置にある。この位置では、前レール６１０の歯６１２は、仕切り器から離れて前レール６１０の中に引き込まれている。図７６Ｂでは、カム棒レバー６１８は第２位置にある。この位置では、前レール６１０の歯６１２は、仕切り器５５０に向かって延ばされる。
【０１３６】
図７７は、一実施形態のいくつかの側面の分解図を示す。示される前レール６１０は、押し出し成形シェル６２０、カム棒６２２及び歯付き棒６２４を含む。歯付き棒６２４は複数の歯６１２を包含する。押し出し成形シェル６２０はカム領域６２６を含む。カム領域６２６は、カム棒６２２及び歯付き棒６２４を収容するべく設計される。カム棒６２２は、押し出し成形シェル６２０に隣接する前レール６１０の基部上に配置される。カム棒６２４はカム棒レバー６１８に接触する。カム棒レバー６１８は、カム棒６２２を横方向に行ったり来たりさせるべく動作可能である。カム棒６２２はさらに、複数の細長いカム貯蔵器６２８を含む。カム貯蔵器６２８は、前レール６１０の前端に近いカム貯蔵器６２８の前端と、前レール６１０の前端からさらに後ろにある貯蔵器６２８の後端とが対角をなす。
【０１３７】
歯付き棒６２４はカムスタッド６３０を含む。歯付き棒カムスタッド６３０は、前レール６１０の動作中、カム棒貯蔵器６２８内に置かれる。カム棒６２２及びカム棒貯蔵器６２８が横方向に動くと、歯付き棒カムスタッド６３０は、カム棒６２２の動きに対して垂直な方向に動く。歯付き棒カムスタッド６３０は、カム棒６２２がカム領域６２６内を横方向に行ったり来たりすると、前レール６１０の前に向かって（かつ仕切り器の歯６００から離れるように）、及び、前レール６１０の前から離れるように（かつ仕切り器の歯６００に向かって）動く。歯付き棒カムスタッド６３０が動くと、歯付き棒６２４も動く。したがって、カム棒レバー６１８は、第１位置から第２位置へ動かされると、カム棒６２２を前レール６１０の内側に沿って横方向に動かす。カム棒６２２のこの横方向の動きにより、歯付き棒６２４及び歯６１２は、カム棒６２２の方向に垂直な方向に動く。すなわち、歯付き棒６２４は、前レール６１０の前に対して向かうか又は離れる方向に、及び仕切り器５５０の歯６００に対して向かうか又は離れる方向に動く。図７８は、図７７に示される実施形態のいくつかの側面の後ろ分解図を示す。
【０１３８】
図７９Ａ〜Ｃは、仕切り器５５０を前レール６１０の中に置くためのステップごとの案内の一例を示す。図７９Ａに例示されるように、仕切り器上に歯６００を含む仕切り器５５０が、前レール６１０の通路６４０の中に下ろされる。歯付き棒６２４は、まず、前レール６１０の前に近い位置にあって、歯付き棒６２４の歯６１２は仕切り器５５０の歯６００に係合していない。カム棒レバー６１８は、図７９Ｂに例示されるように、歯付き棒６２４の歯６１２を仕切り器歯６００との係合から外れたままに維持する第１位置にある。この位置では、仕切り器５５０は、前レール６１０の隆起部又は舌部６１６に沿って横方向に動かすことができる。仕切り器５５０は、図７７に矢印「Ａ」で示される方向に仕切り器５５０が前レールに沿って横方向に動かされると、製品を仕切り器床面５５４上に着座させることができる。前レール５８０の隆起部５８４又は他の凸部が、仕切り器５５０の溝５６０又は他の凹部に係合して仕切り器５５０を留め、かつ、当該仕切り器を前レール５８０に垂直な方向に、隆起部５８４と溝５６０との間の有意でない小さな程度の遊び（例えば３ｍｍ未満）を除き通常の動作の条件及び力では動かないようにすることができる。カム棒レバー６１８はその後、第１位置から第２位置まで動かされる。カム棒レバー６１８の動きにより、カム棒６２２は、押し出し成形シェル６２０内を横方向に動かされる。カム棒６２２の動きは、対角をなすカム棒貯蔵器６２８の横方向の動きを含む。カム棒貯蔵器６２８の動きは次に、図７９Ｃに例示されるように、歯付き棒カムスタッド６３０に対し、カム棒６２２の方向に垂直な方向の、かつ、仕切り器５５０の歯６００に向かう方向の動きをもたらす。歯付き棒カムスタッド６３０は、歯付き棒６２４に結合され、及び一体にすることができる。したがって、歯付き棒カムスタッド６３０の動きにより、歯付き棒６２４及びそれに包含される歯６１２が、仕切り器の歯６００に向かって動かされる。この動きにより、歯付き棒６２４の歯６１２が、仕切り器の歯６００に係合するようになる。歯付き棒の歯６１２が仕切り器の歯６００に係合されると、仕切り器５５０は解放可能に係合され、かつ、通常の動作の力及び条件では図７７に矢印「Ａ」で示される横方向には動かない。
【０１３９】
歯付き棒６２４がその両端を固定される結果、歯付き棒６２４は、仕切り器の歯６００に対して向かうか又は離れる方向にのみ動くことができる。歯付き棒６２４は、図７７に矢印「Ａ」で示される横方向には動くことができない。カム棒６２２はそれとは反対の態様で動作する。カム棒６２２が固定される結果、カム棒６２２は図７７に矢印「Ａ」で示される横方向にのみ動くことができる。カム棒は、仕切り器の歯６００に対して向かうか又は離れる方向には動くことができない。
【０１４０】
図８０は、一実施形態の側面の等角図を与える。歯付き棒６２４の歯６１２が仕切り器の歯６００に係合すると、販売促進システム１０全体がロックされる。前レール６１０及び仕切り器５５０は、互いに解放可能に係合されて互いに対して動かない。加えて、押出器５２０は仕切り器５５０に係合される。この位置では、販売促進システム１０全体を動かすことができる。販売促進システム１０は、特定の棚割りに応じて遠隔場所で組み立ててからロックすることができる。販売促進システム１０はその後、店舗の場所まで出荷することができる。店舗の場所において、販売促進システム１０は、出荷コンテナから取り出してマットのような棚上に置くことができる。仕切り器５５０の棚割りは、販売促進システム１０がロックされている間、元の状態のままである。
【０１４１】
一例では、陳列システムは、棚から離れた遠隔場所で組み付けた後、ユニットとして棚まで動かして当該棚に留めることができる。複数の仕切り器５５０が前レール５８０に係合される。複数の仕切り器５５０は、留められ、かつ、前レール５８０に垂直な方向には著しくは動かないようになる。複数の仕切り器５５０が、予め区切られた棚割り又は他の配列に応じて前レール５８０に平行な横方向に調整される。複数の仕切り器５５０は係合部材を含み、かつ、前レール５８０も係合部材を含む。複数の仕切り器５５０の係合部材及び／又は前レール５８０の係合部材が、複数の仕切り器５５０を前レール５８０に固定するべく第１位置から第２位置まで調整される。その結果、複数の仕切り器は、前レール５８０に対していずれの方向にも動くことができない。前レール５８０及び複数の仕切り器５５０はその後、棚に対するユニットとして動かされる。前レール５８０はその後、棚に留められる。
【０１４２】
店舗の場所において販売促進システムの棚割りを変えるべく、仕切り器５５０及び製品を棚から取り外す必要はない。各仕切り器５５０に対するカム棒レバー６１８又は他の係合部材をその初期位置にまで動かすことができる。カム棒レバー６１８又は他の係合部材をその初期位置にまで動かすことにより、歯付き棒６２４の歯６１２は、仕切り器の歯６００から解放される（又は一つの係合部材が他の係合部材から係合解除される）。この位置では、仕切り器５５０は横方向に、すなわち図８０に矢印「Ａ」で示される方向に動かすことができる。仕切り器５５０が動かされている間、製品を、仕切り器床面５５４及び押出器床面５２４の上の所定位置のままとすることができる。ひとたび仕切り器５５０の新たな棚割り位置への移動が完了すると、各仕切り器５５０に対するカム棒レバー６１８又は他の係合部材をその第２位置にまで動かすことができる。歯付き棒６２２の歯６１２はその後、仕切り器５５０の歯６００に係合し（又は一つの係合部材が他の係合部材に係合し）、再び販売促進システム１０がロックされるようになる。
【０１４３】
一例では、カム作動の過程が図８１Ａ及び８１Ｂにさらに示される。図８１Ａは、仕切り器の歯６００が歯付き棒６２４の歯６１２に係合していないことを示す。この実施形態では、カム棒６２２が、前レール６１０の前壁に隣接する。図８１Ｂでは、カム棒レバー６１８が第２位置への動きを完了し、カム棒６２２が横方向の動きを完了し、及び歯付き棒カムスタッド６３０が仕切り器５５０に向かう動きを完了している。歯付き棒６２４の歯６１２はまた、仕切り器５５０に向かう動き及び仕切り器歯６００との係合を完了している。
【０１４４】
一実施形態では、軟質ゴムパッドを歯付き棒６２４の歯６１２の代わりに利用して係合部材として機能させることができる。この実施形態では、歯付き棒６２４が前レール６１０の前部分に隣接する場合、軟質ゴムパッド及び仕切り器歯６００は互いに接触しない。カム棒レバー６１８がその第２位置まで動かされてカム棒６２２が歯付き棒６２４を仕切り器歯６００の方向に動かすと、仕切り器歯６００が軟質ゴムパッドに接触するようになりひいては当該軟質ゴムパッドに係合する。この接触により、抵抗性の界面が得られかつ仕切り器歯６００が所定位置に維持されるので、仕切り器５５０が横方向に、すなわち図７７に矢印「Ａ」が付された方向に動かないようになる。
【０１４５】
図８２Ａ〜Ｃに示される他の実施形態では、仕切り器５５０は、クランプの使用によって前レール５８０に接触したまま所定位置に保持される。図８２Ａ〜Ｃは、仕切り器５５０を前レール５８０の中に挿入するためのステップごとのプロセスを示す。最初に、図８２Ａに例示されるように、仕切り器５５０が、前レール５８０（又は６１０）に形成された通路６４０の中に下ろされる。加えて、前レール５８０の隆起部又は舌部６４４が、仕切り器５５０の通路６４５に接触する。仕切り器５５０は、仕切り器５５０の前部分に、こぶ又は外方に延びる隆起部６５０を含む。前レール５８０のクランプ６５２が回転して、仕切り器５５０のこぶ６５０に係合する。クランプ６５２は、こぶ６５０にスナップ嵌めされてこぶ６５０及び仕切り器５５０を所定位置にロックする。仕切り器５５０は、ひとたび解放可能に係合されると、図８０に矢印「Ａ」が付された横方向に動くことができない。仕切り器５５０を動かすには、クランプ６５２を引っ張ってクランプ６５２を仕切り器のこぶ６５０からスナップ解除しなければならない。
【０１４６】
図８３Ａ〜Ｃに例示される他の実施形態では、仕切り器５５０は、歯を含む回転ロッド６６０の使用によって前レール５８０に接触したまま所定位置に保持される。図８３Ａ〜Ｃは、仕切り器５５０を前レール５８０の中に挿入するためのステップごとのプロセスを示す。最初に、図８３Ａに例示されるように、仕切り器５５０が、前レール５８０に形成された通路６４０の中に下ろされる。前レール５８０は回転ロッド６６０を含む。回転ロッド６６０はそれ自体が歯を含む。仕切り器５５０が最初に通路の中に下ろされるとき、図８３Ｂに例示されるように、回転ロッド６６０の歯は、仕切り器５５０の歯６００に係合していない第１位置にある。ハンドル６６２が回転ロッド６６０に結合される。ハンドルが第１位置６６４にある場合、回転ロッド６６０の歯は、仕切り器５００の歯６００に係合していない第１位置にある。図８３Ｃに例示されるように、ハンドル６６２が第２位置６６８まで動かされると、ハンドル６６２は回転ロッド６６０を回転させて回転ロッド６６２の歯を、仕切り器５５０の歯６００に係合する位置まで動かす。この位置で、ロッドの歯は、仕切り器歯６００との干渉状態にある。ロッドの歯と仕切り器歯６００とが互いに係合し合うと、仕切り器５５０は、図８０に矢印「Ａ」が付された横方向に動くことができない。仕切り器５５０を動かすには、ロッド６６０をその第１位置６６４まで戻し、かつ、ロッド６６０の歯を仕切り器５５０の歯６００との係合から外れるように動かさなければならない。
【０１４７】
一実施形態では、一つの前レール５８０とともに複数の押出器５２０及び仕切り器５５０を使用することができる。図８４Ａ〜Ｅは、製品を棚の前に向かって押し出すための、２つの押出器５２０及び２つの仕切り器５５０の使用を示す。複数の押出器５２０の使用により、図面に概略的に示されるように、幅のある製品を押し出すことができる。加えて、押出器拡張器５２８をその上方に延びた位置に置くことで、図８４Ｄ及び８４Ｅに示されるように、押出器５２０に背の高い製品又は多くの製品を押し出させることができる。一実施形態では、仕切り器５５０は、２つの押出器５２０に結合させることができる。図８４Ｆに示されるように、一つの押出器５２０を、仕切り器壁５５２の各側にある障壁５５６の部分に係合させることができる。他の例では、仕切り器を一つの押出器に結合させるか又は仕切り器を押出器には結合させないことができる。
【０１４８】
他の実施形態では、図８５に例示されるように、カム７２０の動作によって仕切り器５５０の一部が前レール５８０に留められる。図８５は、障壁５５６に結合されたカム７２０を、側方斜視図で例示する。カム７２０は、障壁５５６のキャビティ７４０（図８６Ｇ参照）内で回転するべく構成された丸い部分７２２を含む。カム７２０はまた、舌部７２４を含む。舌部７２４は、第１カム壁７２６、第２カム壁７２８及び第３カム壁７３０からなる。図８５では、カムは、前レールに係合していない位置にある。この位置では、第１カム壁７２６は、実質的に鉛直方向の整列状態にあり得る。この位置では、第２カム壁７２８及び第３カム壁７３０はまた、実質的に水平方向の整列状態でもあり得る。第１カム壁７２６が第２カム壁７２８と接続する。第２カム壁７２８は第３カム壁７３０に接続する。カムはハンドル７３２も含む。
【０１４９】
他の実施形態では、舌部７２４は２つのカム壁のみを含む。第１カム壁７２６のような第１カム壁、及び第２カム壁である。第２カム壁は、直線的であり、かつ、カム壁７２８及び７３０として示される長さに及ぶ。この実施形態では第２カム壁に屈曲は存在しない。カム壁は、仕切り器５５０幅の一以上の部分に対して延び、又は仕切り器５５０の全幅に延び得る。
【０１５０】
一実施形態では、図８６Ｇに例示されるように、カム７２０は、障壁５５６のキャビティ７４０内に嵌まり込む。一実施形態では、キャビティ７４０は側壁７４２によって区切られる。側壁７４２によってキャビティ７４０の前が、カム７２０幅よりもわずかに狭くなる。カム７２０を押し出して側壁７４２を経てキャビティ７４０の中に入れるには、一定の大きさの力が必要となる。カムは、側壁７４２を通過した後、キャビティ７４０内の所定位置にスナップ嵌めされる。カム７２０はその後、キャビティ７４０内で回転し、かつ、通常使用時にキャビティ７４０から外れて落下又はキャビティ７４０から分離することがない。カム７２０はキャビティ７４０内で回転可能に留められる。一実施形態では、キャビティ７４０はまた、その前部分が前壁（図示せず）によって区切られる。
【０１５１】
他の実施形態では、側壁７４２によってキャビティ７４０の前がカム７２０幅よりも狭くなることがない。この実施形態では、カム７２０は、キャビティ７４０の中に置かれ、かつ、側壁７４２によってもたらされる抵抗力に打ち勝つ必要なしにキャビティ７４０から取り外すことができる。
【０１５２】
一例では、図８６Ｅ及び８６Ｆが、カム７２０及び前レール５８０の拡大部分を例示する。カム７２０はざらつきを含み得る。カム７２０は、歯又は他の係合部材を含み得る。一実施形態では、第１カム壁７２６は、歯７３６及び７３８によってざらざらにされる。歯７３６は、下方列の歯を形成し得る。歯７３８は、上方列の歯を形成し得る。歯７３６及び歯７３８は、一実施形態では、丸くされる。少なくとも一つの実施形態では、歯７３６及び歯７３８は一つの鉛直列の歯を形成する。歯に尖頭をなくすことにより、カム歯良好な動作及び長寿命を与えることができる。カム７２０はまた、例えば凹凸又は他のざらつきのような歯以外の態様でざらざらにすることもできる。
【０１５３】
一例では、図８６Ｆに例示されるように、前レール５８０は溝７５０を含む。溝７５０は、第１溝壁７５２、第２溝壁７５４及び第３溝壁７５６を含む。第１溝壁７５２は第２溝壁７５４に接続される。第２溝壁７５４は次に、第３溝壁７５６に接続される。他の実施形態では、溝７５０は２つの溝壁のみを有する。第１溝壁７５２のような第１溝壁、及び第２溝壁７５４である。第２溝壁７５４は、直線的であり、かつ、溝壁７５４及び７５６として示される長さに及ぶ。この実施形態では第２溝壁７５４に屈曲は存在しない。
【０１５４】
一実施形態では、溝７５０はざらざらにされ得る。溝７５０は歯を含み得る。一実施形態では、第１溝壁７５２は歯７６６及び歯７６８を含む。歯７６６は、下方列の歯を形成し得る。歯７６８は、上方列の歯を形成し得る。少なくとも一つの実施形態では、歯７６６及び７６８は一つの鉛直列の歯を形成する。歯７６６及び７６８は丸くされ得る。歯７６６及び７６８は、溝７５０の長さ全体に沿って配置することができる。加えて、歯７６６及び７６８は、溝７５０に沿った複数のセクションに、滑らかかつ歯なしである溝７５０の追加セクションを置くことができる。溝７５０はまた、例えば凹凸又は他のざらつきのような歯以外の態様でざらざらにすることもできる。一実施形態では、第２溝壁７５４は滑らかであり、かつ、第３溝壁７５６も滑らかである。一実施形態では、第２カム壁７２８は滑らかであり、かつ、第３カム壁７３０も滑らかである。
【０１５５】
一実施形態では、図８７Ａ〜Ｃに示されるように、販売促進陳列システム１０は、仕切り器５５０及び前レール５８０を含む。仕切り器５５０は、仕切り器壁５５６、仕切り器床面５５４及び障壁５５４を含む。カム７２０は、障壁５５６の前部分に回転可能に結合される。カム７２０はカム舌部７２４を含む。ここで、カム舌部７２４は、第１カム壁７２６、第２カム壁７２８及び第３カム壁７３０を含む。カム７２０ハンドル７３２も含む。前レール５８０は溝７５０を含む。溝７５０は、第１溝壁７５２、第２溝壁７５４及び第３溝壁７５６からなる。カム７２０は、第１位置と第２位置との間において回転するべく構成される。ここで、カム７２０が第２位置にある場合、カム舌部７２４は前レール溝７５０に係合されるので、仕切り器壁５５６０は横方向への動きが禁止される。カム７２０はまた、第１位置と第２位置との間で滑るべく構成される。
【０１５６】
図８７Ａ〜Ｃは、仕切り器５５０が前レール５８０に結合される工程を示す。カム７２０が、図８７Ｂの第１位置と図８７Ｃの第２位置との間で動かされる。以下に述べるように、カム７２０が図８７Ｂに示される第１位置にある場合、カム７２０によって仕切り器５５０は、前レール５８０に沿って横方向に又はそうでない場合は前レール５８０に平行な方向に動くことができる。（図８７Ｂでは、仕切り器５５０は、前レール５８０に垂直な方向に留められているので、仕切り器と前レールとの間に存在する有意でない小さな程度の遊びを除き、当該垂直な方向に動くことができない。その遊びは、システムの使用者に気付かれない程度である。）カム７２０は、カム７２０が図８７Ｃに示される第２位置にある場合、仕切り器５５０が前レール５８０に沿って横方向に動くことを禁止する。一例では、カム７２０が図８７Ｃに示される第２位置にある場合、カム７２０によって仕切り器５５０は、通常の動作の条件及び力では前レール５８０に沿って横方向に動くことができない（かつ仕切り器５５０は前レール５８０に沿って不動となる）。他の例では、カム７２０は、所定の大きさの力と同じ又はそれ未満の力が、前レール５８０に平行な横方向に仕切り器５５０に対して適用されても、仕切り器５５０を前レール５８０に沿って横方向に動くことを防止することにより仕切り器５５０の動きを禁止する。所定の大きさの力よりも大きな力が、前レール５８０に平行な横方向に仕切り器５５０に対して適用されると、仕切り器５５０は、前レール５８０に平行な横方向に動く。
【０１５７】
図８７Ａは、前レール５８０の上に上げられた仕切り器５５０を示す。図８７Ｂでは、仕切り器５５０は下ろされて前レール５８０との接触配置が完了している。溝５６０が隆起部５８４上に置かれ、かつ、隆起部５８４は溝５６０とともに置かれている。溝５６０及び隆起部５８４はこの位置では互いに接触し合う。溝５６０及び隆起部５８４はまた、この位置で常に互いに接触し合うというわけではない。いくつかの位置では、溝５６０の表面と隆起部５８４との間に空間が存在する。障壁５５６の前部分はまた、通路又は溝５８６内に置かれている。図８７Ｂでは、カム７２０の舌部７２４は前レール５８０の溝７５０に係合してはいない。図８７Ｂでは、仕切り器５５０は、図８６Ｆ及び８６Ｈの矢印「Ａ」に示される横方向に動くことができる。かかる動きを可能とするべく仕切り器５５０を、前レール５８０の上に上げる必要はない。仕切り器５５０は、前レール５８０に接触したままであって方向「Ａ」に動くことができる。製品は、仕切り器５５０を動かしているプロセス中に仕切り器床面５５４上に置くことができる。仕切り器５５０を前レール５８０から分離することなく又は製品を取り外すことなく仕切り器５５０を動かすことができるので、容易な棚割りが得られる。図８７Ｂにおいて仕切り器５５０は、棚の平面内を、図８６Ｆ及び８６Ｈに矢印「Ａ」で示される前レール５８０に平行な横方向にのみ動くことができる（棚は図７０及び７１では５９６として示される）。図８７Ｂにおいて仕切り器５５０は、通常の動作の力及び条件では、棚の平面内におけるそれ以外のすべての方向、例えば図８６Ｈに矢印「Ｂ」で示される方向には不動となる。仕切り器５５０は、棚の平面内で揺動し、回転し、広がり又は魚尾状になることができないので、通常の動作の力及び条件では仕切り器５５０は前レール５８０に垂直のままとなる。図８７Ｂにおいて仕切り器５５０は、図８７Ｂに矢印「Ｃ」で示される方向に動くことができるので、前レール５８０から持ち上げることができる。図８７Ｂに矢印「Ｃ」で示される方向は、棚の平面内にはない。
【０１５８】
図８７Ｃでは、カムハンドル７３２は前レール５８０に向かう回転が完了している。一実施形態では、カムハンドル７３２は前レール５８０に接触している。カム７２０がその図８７Ｂの位置からその図８７Ｃの位置まで回転されると、カム舌部７２４は前レール５８０に接触して前レール５８０を、カム舌部７２４から離れるようにわずかに変形させる。カム７２０がその図８７Ｂの位置からその図８７Ｃの位置まで回転されると、カムの第１壁７２６が溝の第３壁７５６に接触する。
【０１５９】
カムが図８７Ｃに示される位置まで動くと、舌部７２４が溝７５０内にスナップ嵌めされて舌部７２４は溝７５０に係合される。一実施形態では、舌部７２４は溝７５０に完全に嵌められる。この完全な嵌め合いは、舌部７２４及び溝７５０の係合を含む。前レール５８０が変形されないと、カム７２０及び前レール５８０は互いに張力を及ぼし合うことがない。第１カム壁７２６は第１溝壁７５２に隣接する。第２カム壁７２８は第２溝壁７５４に隣接する。第３カム壁７３０は第３溝壁７５６に隣接する。一実施形態では、カム壁及び溝壁が互いに接触し合う。例えば、第１カム壁７２６が第１溝壁７５２に接触し、第２カム壁７２８が第２溝壁７５４に接触し、及び第３カム壁７３０が第３溝壁７５６に接触する。少なくとも一つの実施形態では、カム壁及び溝壁は、互いに接触し合っている間、互いに実質的な張力を及ぼし合うことがない。他の実施形態では、カム壁及び溝壁が互いに接触し合っている場合、カム壁の一以上が溝壁の一以上に張力を及ぼす。
【０１６０】
第１カム壁７２６が第１溝壁７５２に接触するように置かれた一実施形態では、第１カム壁７２６の歯は、第１溝壁７５２の歯に係合する。歯７３６が歯７６６に係合し、かつ、歯７３８が歯７６８に係合する。第１カム壁の歯と第１溝壁の歯との係合により、仕切り器が前レールに沿って横方向にすなわち矢印「Ａ」に示される（図８６Ｈに示される）横方向に動くことへの抵抗が得られる。
【０１６１】
カム舌部７２４が溝７５０に完全に嵌め込まれて置かれている場合、仕切り器５５０が前レールに沿って横方向にすなわち矢印「Ａ」に示される（図８６Ｈに示される）方向に動くことへの実質的な抵抗が存在するので、仕切り器５５０は、動作中に当該仕切り器に加えられる通常の力によっては横方向に動かない。
【０１６２】
仕切り器５５０を前レール５８０に沿って再び動かすことが望まれる場合、カムは前レールからスナップ嵌めを解除することができる。ハンドル７３２を前レール５８０から離れるように回転させることができる。舌部７２４を溝７５０から係合解除してその図８７Ｂの位置まで戻すことができる。
【０１６３】
一実施形態では、仕切り器壁５５２は異なる幅の複数のセクションを有する（図８５参照）。障壁５５６に隣接し得る仕切り器壁５５２の前セクション７７０は、障壁５５６に隣接し得る仕切り器壁５５２の後ろセクション７７２よりも大きな幅を有し得る。前セクション７７０は、中間セクション７７４を介して後ろセクション７７２に接続され得る。中間セクション７７４の幅は、仕切り器の前セクション７７０の幅から当該仕切り器の後ろセクション７７２まで漸次的に変化する。一実施形態では、中間セクション７７４の、セクション７７０に隣接する部分の幅は、セクション７７０の幅と等しく、かつ、中間セクション７７４の、セクション７７２に隣接する部分の幅は、セクション７７２の幅と等しい。仕切り器壁５５２の後ろセクション７７２が狭い幅になることによって仕切り器壁５５２同士間の空気空間が作られるので、押し出されるときの製品が２つの仕切り器壁５５２間で締め付けられることの防止が補助され、かつ、製品が販売促進システム１０の前から取り外されるときの仕切り器床面５５４に沿って製品を流すことが補助される。一例では、仕切り器壁５５２の前セクション７７０の幅は、仕切り器壁５５２の後ろセクション７７２よりも少なくとも２５％広い。
【０１６４】
図８５〜８７Ｃに示される実施形態では、一以上の仕切り器５５０を前レール５８０に接触するように置くことができる。カム７２０又は他の係合部材が前レール５８０に係合されていない場合、仕切り器５５０は、前レール５８０の長さに平行にすなわち矢印「Ａ」に示される横方向に（図８６Ｈ参照）動くことができる。仕切り器５５０はその後、カム７２０又は他の係合部材をスナップ嵌めで前レール５８０に係合させることによって所定位置に固定することができる。仕切り器５５０は、カム７２０若しくは他の係合部材がスナップ嵌めを解除されるか又はそうでない場合前レール５８０との係合から外れるように置かれるまで、通常の動作の力では固定されたままである。
【０１６５】
一実施形態では、図８６Ｋに示されるように、溝５６０の前壁５６１はざらざらにされる。このざらつきは、凹凸又は小さな歯の形態とすることができる。このざらつきは、溝５６０の前壁５６１の表面が滑らかにならないようにする。一実施形態では、図８６Ｉ、８６Ｊ及び８６Ｌに描かれるように、隆起部５８４若しくは他の突出部又は係合部材の前壁５８５がざらざらにされる。このざらつきは、凹凸又は小さな歯の形態とすることができ、かつ、隆起部５８４の前壁５８５表面が滑らかにならないようにする。
【０１６６】
図８６Ｉに描かれる少なくとも一つの実施形態では、障壁５５６は、別個のコンポーネントであって、取り外し可能に仕切り器５５０に取り付けられる。少なくとも一つの実施形態では、障壁５５６は仕切り器５５０の前にスナップ嵌めされる。少なくとも一つの実施形態では、障壁５５６は可動である。障壁５５６全体が可動であるか又は障壁５５６の単数又は複数の部分が可動である。例えば、障壁５５６の、販売促進陳列システム１０上の製品の前に位置決めされた部分が可動である。少なくとも一つの実施形態では、障壁５５６の、製品の前に位置決めされた部分が滑るように構成される。代替実施形態では、障壁５５６の、製品の前に位置決めされた部分が、軸まわりに回転するべく構成される。その結果、障壁５５６の当該部分は開閉することができる。この実施形態では、当該軸はヒンジ接続部となる。追加的に又は代替的に、障壁５５６の当該部分は、仕切り器５５０に対しばねを介して据え付けされる。その結果、障壁５５６の当該部分は、仕切り器５５０から離すように動かすには一定の大きさの力を必要とする。この実施形態では、その力の解放によって障壁５５６の当該部分が閉まるか又はその元の位置に戻る。障壁５５６を据え付ける例示的な方法は、米国特許第８，０５６，７３４号明細書にさらに詳しく記載されている。これは、本明細書に参照として組み入れられる。
【０１６７】
一例では、仕切り器５５０は障壁を含まない。代替的に、一以上の障壁が前レール５８０に含められる。
【０１６８】
一実施形態では、図８７Ｂに示されるように、仕切り器５５０が前レール５８０に接触するように置かれる場合、溝５６０の前壁５６１は、カム７２０が図８７Ｂに示される位置にあってカム７２０の舌部が前レール５８０の溝７５０に係合していない間、隆起部５８４の前壁５８５に接触しないか又は整合的には接触しない。カム７２０が図８７Ｂに示される第１位置から図９７Ｃに示される第２位置まで動かされると、舌部７２４が溝７５０に係合して当該舌部が仕切り器５５０に力を加えて後方に動かす。一実施形態では、舌部７２４と溝７５０との間の張力が仕切り器５５０に力を加えて後ろ方向に動かす。カムが図８７Ｃに示される第２位置まで動かされると、溝５６０の前壁５６１が隆起部５８４の前壁５８５に接触するようになる。前壁５６１が前壁５８５に係合する。溝５６０の前壁５６１上のざらつきが隆起部５８４の前壁５８５上のざらつきに係合する。溝５６０の前壁５６１と隆起部５８４の前壁５８５との係合により、仕切り器５５０が前レール５８０に沿って図８６Ｈに矢印「Ａ」で示される方向に動くことが禁止される。溝５６０の前壁５６１のざらつきと隆起部５８４の前壁５８５のざらつきとの係合によりさらに、仕切り器５５０が前レール５８０に沿って図８６Ｈに矢印「Ａ」で示される方向に動くことが禁止される。
【０１６９】
一例では、弾性の細片又はビードを、前レール５８０の隆起部５８４又は他の突出部の頂部表面に含めることができる。カム７２０又は他の係合装置が第１位置にある場合、弾性の細片又はビードは圧縮されていない。この第１位置では、仕切り器５５０は前レールに平行な横方向に動くことができるが、前レールに垂直な方向には動くことができない。カム７２０又は他の係合装置が第２位置まで動かされると、弾性の細片又はビードは仕切り器５５０の溝５６０又は他の凹部により圧縮されるようになる。弾性の細片又はビードが溝５６０又は他の凹部によって圧縮されると、仕切り器５５０は、通常の動作の力があっても前レール５８０に平行な方向に固定されるようになる。一例では、溝５６０又は他の凹部の、前レール５８０の弾性の細片又はビードに接触するようになる部分は、凹凸又は歯を含むことができる（図示せず）。
【０１７０】
一実施形態では、障壁５５６は、仕切り器壁５５２及び仕切り器床面５５４と同時には成形されない。障壁５５６は、図８８Ａに示されるように、仕切り器壁５５２及び仕切り器床面５５６とは別個の一片として成形される。障壁５５６が透明な材料から成形される一方、仕切り器壁５５２及び仕切り器床面５５４は不透明な材料から成形される。
【０１７１】
一例では、仕切り器５５０は、平面状表面を備える係合部材を含む。前レール５８０は、平面状表面を備える係合部材を含む。仕切り器上の係合部材及び／又は前レール上の係合部材の平面状表面は、滑らかな又は実質的に滑らかな表面を含み得る。平面状表面は弾性表面を含み得る。平面状表面は、ゴム細片若しくはネオプレン細片又はそうでない場合は圧縮性の材料を含み得る。一例では、仕切り器５５０の係合部材は、第１位置にある場合、前レール５８０の係合部材に係合しないので、仕切り器５５０は前レールに平行な横方向に可動となる。仕切り器５５０の係合部材は、第２位置にある場合、前レール５８０の係合部材に係合するので、仕切り器は固定され、通常の動作の条件及び力では前レールに平行な横方向に動くことができない。前レール５８０及び仕切り器５５０の係合部材が滑らか又は実質的に滑らかな表面であって歯又は他の突出部を含まない一例では、仕切り器５５０は、付加的な調整可能性及び無限の又はほぼ無限の横方向調整可能性を有し得る。仕切り器５５０の横方向調整可能性は、例えば凸部又は歯の幅のような物理的な寸法によって限られることがない。無限の横方向調整可能性により、陳列システムにとっての著しい利益が得られる。すなわち、横方向空間を有効利用することで製品列同士の間にある未使用の又は失われた空間が制限又は最小化され、ひいては、棚上の有用な空間の大きさ及び横方向の製品面積が潜在的に増加される。
【０１７２】
一実施形態では、図８８Ｂに示されるように、障壁５５６は、仕切り器５５０に対してスナップ嵌め又はそうでない場合は係合することができる。障壁５５６と仕切り器５５０との係合が存在し得る結果、障壁５５６は、通常の動作の条件では仕切り器５５０から取り外すことができない。障壁５５６又は仕切り器５５０の構造物に有害な影響を与えることもない。
【０１７３】
図８９Ａ〜Ｃは、仕切り器を前レールに配置するためのステップごとのアプローチの一例を示す。最初のステップでは、図８９Ａに例示されるように、仕切り器５５０が前レール５９０に接触するように下ろされる。回転「Ｔ」字ロック９００が、前レール５８０にスナップ嵌めされるべく回転される。回転「Ｔ」字ロック９００は、仕切り器５５０の前部分に取り付けられる。回転「Ｔ」字ロック９００は、軸９０３まわりに回転する。図８９Ｂに例示されるように、仕切り器５５０が前レール５８０に接触して置かれるように下ろされる。仕切り器５５０の溝５６０又は他の凹部が、前レール５８０の隆起部若しくは舌部５８４又は他の突出部に係合する。この時点で、仕切り器５５０は、前レールに平行な横方向に動くことができるので、容易な棚割りが可能となり得る。一例では、仕切り器５５０は前レールに沿って動くことができる。仕切り器５５０は、仕切り器床面５５４上に製品を有して又は有しないで、図６５における矢印「Ａ」によって前述した方向に、仕切り器５５０を持ち上げる必要なしに滑ることができる。最終ステップでは、図８９Ｃに例示されるように、回転「Ｔ」字ロック９００は、前レール５８０に向かって前方及び後方に押し出される。回転「Ｔ」字ロック９００は、前レール５８０の前部分のリップ９０１に係合する。少なくとも一つの実施形態では、前レール５８０は頂部前表面９０２を含む。頂部前表面９０２はざらつきを含むか又はゴムのような弾性表面である。代替的に、頂部前表面９０２は一以上の歯を含む。頂部前表面９０２は、回転「Ｔ」字ロック９００の表面９０４に係合する。表面９０４もまたざらつきを含むか又はゴムのような弾性表面である。代替的に、表面９０４は、頂部前表面９０２の歯に係合するべく構成された歯を含む。回転「Ｔ」字ロック９００がリップ９０１に係合する場合、仕切り器５５０は前レール５８０に係合するので、通常の大きさの力では横方向に動くことができない。
【０１７４】
図９０Ａ〜Ｆは、仕切り器５５０及び前レール５８０の実施形態を例示する。図９０Ａに示されるように、仕切り器５５０は、壁５５２、床面５５４及び障壁５５６を含む。仕切り器壁５５２は、仕切り器床面５５４を２つの部分５５９及び５５１に仕切って仕切り器壁５５２の各側に一つの部分がくるようにする。図９０Ｂに例示されるように、仕切り器壁５５２は、仕切り器床面５５４から垂直に延びる。障壁５５６が、仕切り器壁５５２の前に配置される。図９０Ｃ及び９０Ｆに例示されるように、仕切り器床面５５４の底部表面は、溝５６０又は他の凹部、舌部９４１又は他の突出部、及び前壁５６１を含む。少なくとも一つの実施形態では、溝５６０の前壁５６１はざらざらにされる。このざらつきは、凹凸又は小さな歯の形態とすることができる。このざらつきは、溝５６０の前壁５６１の表面が滑らかにならないようにする。
【０１７５】
図９０Ｄに例示されるように、前レール５８０が、平面状表面５８２、隆起部若しくは舌部５８４又は他の凸部、第１通路若しくは溝５８６又は他の凹部、及び第２通路若しくは溝９５０又は他の凹部を画定し得る。仕切り器５５０の前壁５６１は、前レール５８０の第１溝５８６に係合する。前レール５８０の隆起部又は舌部５８４が、仕切り器５５０の溝５６０に係合する。仕切り器５５０の舌部９４１が、前レール５８０の第２溝９５０に係合する。一実施形態では、隆起部５８４の前壁５８５はざらざらにされる。このざらつきは、凹凸又は小さな歯の形態とすることができ、かつ、隆起部５８４の前壁５８５表面が滑らかにならないようにする。隆起部５８４の前壁５８５のざらつきが、溝５６０の前壁５６１のざらつきに係合する。仕切り器５５０の前壁５６１と前レール５８０の第１通路５８６との係合、前レール５８０の隆起部又は舌部５８４と仕切り器５５０の溝５６０との係合、及び仕切り器５５０の凸部９４１と前レール５８０の第２溝９５０との係合により、仕切り器壁５５２が前レール５８０に垂直に維持され、かつ、仕切り器５５０の後ろ部分が広がることが防止される。少なくとも一つの実施形態では、仕切り器５５０は、仕切り器５５０が横方向の力を受ける場合、前レール５８０に平行な横方向に及び／又は前レール５８０に沿って動かされる。
【０１７６】
前レール５８０は、図９０Ｅに例示されるように、穴９５１及び開口９５２を含む。穴９５１は、対応する係合凸部（図示せず）に係合するべく構成される。一例では、係合凸部は平坦な重ね継ぎ器であり得る。対応する係合凸部が、一以上の前レール５８０を一緒に直列に接続する。穴９５１と係合凸部との接続により、一以上の前レール５８０を、たとえ当該前レール５８０が互いに完全な整列状態にないとしても、直列に接続することができる。開口９５２は、前レール５８０を陳列棚に締め付ける締め具を受容するべく構成される。前レール５８０は、前レール５８０を陳列棚に留めるのに適した任意数の開口９５２を含む。任意のタイプの締め具が本発明の範囲内にあるものと意図される。
【０１７７】
一例では、図９１Ａに例示されるように、販売促進陳列システム１０は後ろレール８１０を含む。後ろレール８１０は、棚の後ろに又はその近くに配置することができる。後ろレール８１０は前レール５８０と同様の構造であって、前レール５８０に関するここでの開示は、後ろレール８１０にも当てはまる。例えば、後ろレール８１０は、一般に「Ｕ」字形状の凹部８０４を含む。この実施形態では、仕切り器５５０は仕切り器ブロック８０２に接続される。仕切り器ブロック８０２はその後、後ろレール８１０に係合する。後ろレール８１０は、前レール５８０に沿った販売促進陳列システムの第２レールであり得る。後ろレール８１０はまた、販売促進陳列システムの唯一のレールであり得る。上述のように、前レール５８０は、販売促進陳列システムの後ろに配置されるので、後ろレール８１０として機能する。少なくとも一つの実施形態では、複数の仕切り器ブロック８０２はそれぞれ、図９１Ａに矢印で示される位置にカム７１０（図９１Ａでは図示せず）を有する。このカム７２０は、第１位置から第２位置まで回転し、かつ、前レール５８０に係合する仕切り器のカム７２０と同じ効果を有し得る。仕切り器ブロック８０２はまた、後ろレール８１０に係合する他の係合装置も含み得る。ここに記載される仕切り器５５０のための係合装置も含まれる。後ろレール８１０の使用により、仕切り器５５０の後ろが所定位置に維持され、かつ、製品が押出器５２０の後ろの位置まで動くことが防止される。仕切り器５５０を後ろレール８１０からロック解除するべく、７２０若しくは他の係合装置が後ろレール８１０から離れるように回転されるか又はそうでない場合後ろレール８１０との係合が解除される。
【０１７８】
一例では、仕切り器５５０を前レール５８０に接触するように置くことができる。溝５６０を隆起部５８４上に置き、かつ、隆起部５８４を溝５６０内に置くことができる。溝５６０及び隆起部５８４は、この位置において互いに接触し合うことができる。仕切り器５５０もまた、後ろレール８１０に接触するように置くことができる。仕切り器５５０の溝又は他の凹部を、後ろレール８１０の隆起部又は他の突出部上に置き、かつ、後ろレール８１０の隆起部又は突出部を、仕切り器５５０の溝又は他の凹部内に置くことができる。仕切り器５５０は、前レール５８０及び後ろレール８１０に同時に接触し得る。仕切り器の前にあるカム７２０のような係合装置を一定位置に置くことができる。その結果、仕切り器５５０は、前レール５８０及び後ろレール８１０に平行な横方向に動くことができるが、仕切り器５５０は、前レール５８０又は後ろレール８１０に垂直な方向（前レール５８０と後ろレール８１０との間に延びる方向）に不動となる。仕切り器ブロック８０２はまた、前レール８１０に関して上述したカム７２０又は他の係合装置のような係合装置（図示せず）も含み得る。仕切り器ブロック８０２の係合装置を一定位置に置くことができる。その結果、仕切り器５５０は、前レール５８０及び後ろレール８１０に平行な横方向に動くことができるが、仕切り器５５０は、前レール５８０又は後ろレール８１０に垂直な方向（前レール５８０と後ろレール８１０との間に延びる方向）に固定される。
【０１７９】
一例では、仕切り器５５０の前の係合装置を第２位置まで動かすことができる。第２位置において仕切り器５５０は、通常の動作の力では前レール５８０に平行な方向に固定される。仕切り器ブロック８０２の係合装置もまた第２位置まで動かすことができる。第２位置では、仕切り器ブロック８０２の係合装置により、仕切り器５５０は、通常の動作の力では後ろレール８１０に平行な方向に固定される。前レール５８０、仕切り器５５０及び後ろレール８１０は、一つの位置から他の位置までユニットとして動くことができる剛性トレイを形成し得る。前レール５８０、後ろレール８１０及び複数の仕切り器５５０は、棚から離れた場所で剛性トレイに予め組み付け及び形成することができる。前レール５８０、後ろレール８１０及び複数の仕切り器５５０はその後、棚まで動かして一以上の締め具によって棚に留めることができる。
【０１８０】
上述の変形例及び修正例も本発明の範囲内にある。例えば、当業者であれば、店舗において及び様々な構成で、記載されたコンポーネントを複数使用することができる。したがって、本発明は、図面に描かれた一つのシステムにも直立押出器構成にも限られない。そのシステムは、本発明の特徴、教示及び原理の単なる例示だからである。さらに理解すべきことだが、ここに開示かつ画定された発明は、言及されたか又は本記載及び／又は図面から明白な２つ以上の個々の特徴の代替的な組み合わせすべてに拡張される。これらの異なる組み合わせすべてが、本発明の様々な代替的側面を構成する。ここに記載された実施形態は、本発明を実施するための最善の態様を説明するので、他の当業者は本発明を利用することができる。
【図１】
0005865501.tif 000002
【図２】
0005865501.tif 000003
【図３】
0005865501.tif 000004
【図４】
0005865501.tif 000005
【図５】
0005865501.tif 000006
【図６】
0005865501.tif 000007
【図７】
0005865501.tif 000008
【図８】
0005865501.tif 000009
【図９】
0005865501.tif 000010
【図１０】
0005865501.tif 000011
【図１１】
0005865501.tif 000012
【図１２】
0005865501.tif 000013
【図１３】
0005865501.tif 000014
【図１４】
0005865501.tif 000015
【図１５】
0005865501.tif 000016
【図１６】
0005865501.tif 000017
【図１７】
0005865501.tif 000018
【図１８】
0005865501.tif 000019
【図１９】
0005865501.tif 000020
【図２０】
0005865501.tif 000021
【図２１】
0005865501.tif 000022
【図２２】
0005865501.tif 000023
【図２３】
0005865501.tif 000024
【図２４】
0005865501.tif 000025
【図２５】
0005865501.tif 000026
【図２６】
0005865501.tif 000027
【図２７】
0005865501.tif 000028
【図２８】
0005865501.tif 000029
【図２９】
0005865501.tif 000030
【図２９Ａ】
0005865501.tif 000031
【図２９Ｂ】
0005865501.tif 000032
【図３０】
0005865501.tif 000033
【図３１】
0005865501.tif 000034
【図３２】
0005865501.tif 000035
【図３３】
0005865501.tif 000036
【図３４】
0005865501.tif 000037
【図３５】
0005865501.tif 000038
【図３６】
0005865501.tif 000039
【図３７】
0005865501.tif 000040
【図３８】
0005865501.tif 000041
【図３９】
0005865501.tif 000042
【図４０】
0005865501.tif 000043
【図４１Ａ】
0005865501.tif 000044
【図４１Ｂ】
0005865501.tif 000045
【図４１Ｃ】
0005865501.tif 000046
【図４１Ｄ】
0005865501.tif 000047
【図４２】
0005865501.tif 000048
【図４３】
0005865501.tif 000049
【図４４】
0005865501.tif 000050
【図４５】
0005865501.tif 000051
【図４６】
0005865501.tif 000052
【図４７】
0005865501.tif 000053
【図４８】
0005865501.tif 000054
【図４９】
0005865501.tif 000055
【図５０】
0005865501.tif 000056
【図５１】
0005865501.tif 000057
【図５２】
0005865501.tif 000058
【図５３】
0005865501.tif 000059
【図５４】
0005865501.tif 000060
【図５５】
0005865501.tif 000061
【図５６】
0005865501.tif 000062
【図５７】
0005865501.tif 000063
【図５８】
0005865501.tif 000064
【図５９】
0005865501.tif 000065
【図６０】
0005865501.tif 000066
【図６１】
0005865501.tif 000067
【図６２】
0005865501.tif 000068
【図６３】
0005865501.tif 000069
【図６４】
0005865501.tif 000070
【図６５】
0005865501.tif 000071
【図６６】
0005865501.tif 000072
【図６７Ａ】
0005865501.tif 000073
【図６７Ｂ】
0005865501.tif 000074
【図６７Ｃ】
0005865501.tif 000075
【図６８Ａ】
0005865501.tif 000076
【図６８Ｂ】
0005865501.tif 000077
【図６８Ｃ】
0005865501.tif 000078
【図６９Ａ】
0005865501.tif 000079
【図６９Ｂ】
0005865501.tif 000080
【図７０】
0005865501.tif 000081
【図７１】
0005865501.tif 000082
【図７２】
0005865501.tif 000083
【図７３】
0005865501.tif 000084
【図７４】
0005865501.tif 000085
【図７５】
0005865501.tif 000086
【図７６Ａ】
0005865501.tif 000087
【図７６Ｂ】
0005865501.tif 000088
【図７７】
0005865501.tif 000089
【図７８】
0005865501.tif 000090
【図７９Ａ】
0005865501.tif 000091
【図７９Ｂ】
0005865501.tif 000092
【図７９Ｃ】
0005865501.tif 000093
【図８０】
0005865501.tif 000094
【図８１Ａ】
0005865501.tif 000095
【図８１Ｂ】
0005865501.tif 000096
【図８２Ａ】
0005865501.tif 000097
【図８２Ｂ】
0005865501.tif 000098
【図８２Ｃ】
0005865501.tif 000099
【図８３Ａ】
0005865501.tif 000100
【図８３Ｂ】
0005865501.tif 000101
【図８３Ｃ】
0005865501.tif 000102
【図８４Ａ】
0005865501.tif 000103
【図８４Ｂ】
0005865501.tif 000104
【図８４Ｃ】
0005865501.tif 000105
【図８４Ｄ】
0005865501.tif 000106
【図８４Ｅ】
0005865501.tif 000107
【図８４Ｆ】
0005865501.tif 000108
【図８５】
0005865501.tif 000109
【図８６Ａ】
0005865501.tif 000110
【図８６Ｂ】
0005865501.tif 000111
【図８６Ｃ】
0005865501.tif 000112
【図８６Ｄ】
0005865501.tif 000113
【図８６Ｅ】
0005865501.tif 000114
【図８６Ｆ】
0005865501.tif 000115
【図８６Ｇ】
0005865501.tif 000116
【図８６Ｈ】
0005865501.tif 000117
【図８６Ｉ】
0005865501.tif 000118
【図８６Ｊ】
0005865501.tif 000119
【図８６Ｋ】
0005865501.tif 000120
【図８６Ｌ】
0005865501.tif 000121
【図８７Ａ−８７Ｃ】
0005865501.tif 000122
【図８８Ａ】
0005865501.tif 000123
【図８８Ｂ】
0005865501.tif 000124
【図８９Ａ】
0005865501.tif 000125
【図８９Ｂ】
0005865501.tif 000126
【図８９Ｃ】
0005865501.tif 000127
【図９０Ａ】
0005865501.tif 000128
【図９０Ｂ】
0005865501.tif 000129
【図９０Ｃ】
0005865501.tif 000130
【図９０Ｄ】
0005865501.tif 000131
【図９０Ｅ】
0005865501.tif 000132
【図９０Ｆ】
0005865501.tif 000133
【図９１Ａ】
0005865501.tif 000134